(57)【要約】  本開示の情報機器特定システムは、特定リモートホスト名を保持するリモートホスト保持部と、一のリモートホスト名に対応するＩＰアドレスの問い合わせを受付ける受付部と、受付部により受付けられた一のリモートホスト名が、リモートホスト保持部により保持されている特定リモートホスト名に一致するか否かを判定する判定部と、判定部により一のリモートホスト名と特定リモートホスト名の一とが一致すると判定された場合に、前記一のリモートホストを示すＩＰアドレスに代えて情報機器（１１）のＩＰアドレスを機器（１２）に応答するＩＰアドレス応答部と、所定のリダイレクト先への接続を指示する情報と情報機器（１１）を一意に特定する特定情報とを含むデータを機器（１２）に応答する機器ＩＤ応答部と、を備える。
2015136582.tif 000002
【特許請求の範囲】
【請求項１】
所定のリモートホストを示す特定リモートホスト名を保持するリモートホスト保持部と、
機器が一のリモートホストに接続するための前記一のリモートホストを示す一のリモートホスト名に対応するＩＰ（Ｉｎｔｅｒｎｅｔ  Ｐｒｏｔｏｃｏｌ）アドレスの問い合わせを受付ける受付部と、
前記受付部により受付けられた前記一のリモートホスト名が、前記リモートホスト保持部により保持されている特定リモートホスト名に一致するか否かを判定する判定部と、
前記判定部により前記一のリモートホスト名と前記特定リモートホスト名の一とが一致すると判定された場合に、前記一のリモートホストを示すＩＰアドレスに代えて情報機器のＩＰアドレスを前記機器に応答するＩＰアドレス応答部と、
前記機器に、前記ＩＰアドレス応答部の応答した前記情報機器のＩＰアドレスを用いて、前記一のリモートホストに対してデータを取得する要求を行わせることにより、所定のリダイレクト先への接続を指示する情報と前記情報機器を一意に特定する特定情報とを含むデータを前記機器に応答する機器ＩＤ応答部と、を備える、
情報機器特定システム。
【請求項２】
前記情報機器特定システムは、ネットワーク情報装置と前記情報機器とを備え、
前記ネットワーク情報装置は、前記リモートホスト保持部、前記受付部、前記判定部、および、前記ＩＰアドレス応答部と、を有し、
前記情報機器は、前記機器ＩＤ応答部を有する、
請求項１に記載の情報機器特定システム。
【請求項３】
前記情報機器特定システムは、前記機器を備え、
前記機器は、前記受付部、前記判定部、および前記ＩＰアドレス応答部を有する、
請求項１に記載の情報機器特定システム。
【請求項４】
前記情報機器特定システムは、さらに、
前記機器ＩＤ応答部が応答できる状態であるか否かを判定する応答判定部を備え、
前記応答判定部は、前記機器ＩＤ応答部が応答できない状態であると判定した場合、前記一のリモートホスト名に対応するＩＰアドレスの問い合わせを、前記情報機器特定システムの外部のＤＮＳサーバに送信する、
請求項１〜３のいずれか１項に記載の情報機器特定システム。
【請求項５】
前記情報機器特定システムは、さらに、
前記特定リモートホスト名を取得するリモートホスト取得部を備える、
請求項１〜４のいずれか１項に記載の情報機器特定システム。
【請求項６】
前記情報機器特定システムは、さらに、
前記情報機器のＩＰアドレスを取得するＩＰアドレス取得部と、
取得された前記情報機器のＩＰアドレスを保持する情報機器ＩＰアドレス保持部とを備える、
請求項１〜５のいずれか１項に記載の情報機器特定システム。
【請求項７】
所定のリモートホストを示す特定リモートホスト名を保持するリモートホスト保持ステップと、
機器が一のリモートホストに接続するための前記一のリモートホストを示す一のリモートホスト名に対応するＩＰアドレスの問い合わせを受付ける受付ステップと、
前記受付ステップで受付けられた前記一のリモートホスト名が、前記リモートホスト保持ステップで保持された特定リモートホスト名に一致するか否かを判定する判定ステップと、
前記判定ステップにおいて前記一のリモートホスト名と前記特定リモートホスト名の一とが一致すると判定された場合に、前記一のリモートホストを示すＩＰアドレスに代えて情報機器のＩＰアドレスを前記機器へ応答するＩＰアドレス応答ステップと、
前記機器に、前記ＩＰアドレス応答ステップにおいて応答した情報機器のＩＰアドレスを用いて、前記一のリモートホストに対してデータを取得する要求を行わせることにより、前記所定のリダイレクト先への接続を指示する情報と前記情報機器を一意に特定する特定情報とを含むデータを応答する機器ＩＤ応答ステップと、を含む、
情報機器特定方法。
【請求項８】
請求項７の情報機器特定方法をコンピュータに実行させるためのプログラム。
【請求項９】
ネットワーク情報装置に接続され、当該ネットワーク情報装置と同一のローカルエリア内に配される情報機器であって、
一のリモートホストに対してデータを取得する要求を行う前記ローカルエリア内の機器であって、前記一のリモートホストを示すＩＰアドレスに代えて前記情報機器のＩＰアドレスを用いて当該要求を行った機器に、所定のリダイレクト先への接続を指示する情報と前記情報機器を一意に特定する特定情報とを含むデータを応答する機器ＩＤ応答部と、を備える、
情報機器。
【請求項１０】
ネットワーク情報装置に接続され、当該ネットワーク情報装置と同一のローカルエリア内に配される情報機器が応答するためのプログラムであって、
一のリモートホストに対してデータを取得する要求を行う前記ローカルエリア内の機器であって、前記一のリモートホストを示すＩＰアドレスに代えて前記情報機器のＩＰアドレスを用いて当該要求を行った機器に、所定のリダイレクト先への接続を指示する情報と前記情報機器を一意に特定する特定情報とを含むデータを応答する機器ＩＤ応答ステップを、
コンピュータに実行させるためのプログラム。
【発明の詳細な説明】
【技術分野】
【０００１】
本開示は、情報機器特定システム、情報機器特定方法、情報機器およびプログラムに関する。
【背景技術】
【０００２】
Ｗｅｂ広告事業者は、Ｗｅｂページにアクセスしたユーザに対して、ユーザの関心事項や選考事項に適するターゲット広告等の情報提示を行うべくターゲティングを行っている。Ｗｅｂ広告事業者は、クッキーとよばれるブラウザに発行した識別ＩＤを用いてユーザを追跡し、ユーザの関心事項や選考事項に関するプロファイルを作成する。【０００３】
昨今では、ユーザに対してより最適な情報提供を行うため、ユーザの関心事項や選考事項をより多く収集することが求められている。しかし、あるＷｅｂページで関心事項や選考事項を収集したユーザと他のＷｅｂページで関心事項や選考事項を収集したユーザとが同一のユーザであるかどうかは容易にはわからない。【０００４】
それに対して、例えば特許文献１には、第一のメディアでユーザの行動履歴を収集し、第二のメディアにログインした際に特定されたユーザ識別情報を元に、同一ユーザを対応付ける技術が提案されている。
【先行技術文献】
【特許文献】
【０００５】
【特許文献１】特開２０１２−１３３７８０号公報
【発明の概要】
【発明が解決しようとする課題】
【０００６】
本開示は、ログイン等のユーザの追加操作なく、同一のユーザを対応づけることができる情報機器特定システム、情報機器特定方法、情報機器およびプログラムを提供することを目的とする。
【課題を解決するための手段】
【０００７】
本開示の一態様に係る情報機器特定システムは、所定のリモートホストを示す特定リモートホスト名を保持するリモートホスト保持部と、機器が一のリモートホストに接続するための前記一のリモートホストを示す一のリモートホスト名に対応するＩＰ（Internet Protocol）アドレスの問い合わせを受付ける受付部と、前記受付部により受付けられた前記一のリモートホスト名が、前記リモートホスト保持部により保持されている特定リモートホスト名に一致するか否かを判定する判定部と、前記判定部により前記一のリモートホスト名と前記特定リモートホスト名の一とが一致すると判定された場合に、前記一のリモートホストを示すＩＰアドレスに代えて情報機器のＩＰアドレスを前記機器に応答するＩＰアドレス応答部と、前記機器に、前記ＩＰアドレス応答部の応答した前記情報機器のＩＰアドレスを用いて、前記一のリモートホストに対してデータを取得する要求を行わせることにより、所定のリダイレクト先への接続を指示する情報と前記情報機器を一意に特定する特定情報（機器ＩＤ）とを含むデータを前記機器に応答する機器ＩＤ応答部と、を備える。
【発明の効果】
【０００８】
本開示によれば、ログイン等のユーザの追加操作なく、同一のユーザを対応づけることができる情報機器特定システム、情報機器特定方法、情報機器およびプログラムを提供することができる。
【図面の簡単な説明】
【０００９】
【図１】図１は、ユーザが視聴するブラウザにターゲティング情報が提示される様子を示す図である。
【図２】図２は、異なるメディア間における同一ユーザを対応付ける従来技術を説明するための図である。
【図３】図３は、従来技術の課題を説明するための図である。
【図４】図４は、実施の形態１における情報機器特定システムの概略構成の一例を示す図である。
【図５】図５は、実施の形態１におけるネットワーク情報装置の構成の一例を示すブロック図である。
【図６】図６は、図５に示す取得部の詳細構成の一例を示すブロック図である。
【図７】図７は、実施の形態１における情報機器の構成の一例を示すブロック図である。
【図８】図８は、実施の形態１における情報機器特定システムの通信シーケンスの一例を示す図である。
【図９】図９は、図８に示す通信シーケンスを別の表現で示した図である。
【図１０】図１０は、実施の形態１における情報機器特定システムの通信シーケンスの一例を示す図である。
【図１１】図１１は、実施の形態１における機器特定システムによる効果を概念的に示す図である。
【図１２】図１２は、実施の形態２における情報機器特定システムの構成の一例を示す図である。
【図１３】図１３は、実施の形態３における情報機器特定システムの構成の一例を示す図である。
【図１４】図１４は、実施の形態３におけるＤＮＳスプーラ機能をソフトウェアで実現する場合の構成の一例を示す図である。
【図１５】図１５は、実施の形態４における情報機器特定システムの構成の一例を示す図である。
【図１６】図１６は、本開示における情報機器と、ネットワーク情報装置と、機器とが同一ネットワークのセグメントにある場合の例を示す図である。
【図１７】図１７は、本開示における情報機器と、ネットワーク情報装置と、機器とが異なるネットワークのセグメントにある場合の例を示す図である。
【図１８】図１８は、本開示における情報機器と、ネットワーク情報装置と、機器とが異なるネットワークのセグメントにある場合の例を示す図である。
【発明を実施するための形態】
【００１０】
（本発明の基礎となった知見）
図１は、ユーザが視聴するブラウザにターゲティング情報が提示される様子を示す図である。
【００１１】
ユーザは、例えばＰＣなどユーザが利用するユーザ端末でブラウザ８０１を起動する。すると、ブラウザ８０１のユーザがアクセスしたコンテンツを示す領域８０２以外の領域８０３に例えばお薦め商品が提示され、領域８０４に広告が提示される。ここで、領域８０４に提示される広告は、例えばＷｅｂ広告事業者により提供されたユーザの関心事項や選考事項に適するターゲット広告である。Ｗｅｂ広告事業者は、クッキーとよばれるブラウザに発行した識別ＩＤを用いてユーザを追跡し、ユーザの関心事項や選考事項に関するプロファイルを作成する。そして、Ｗｅｂ広告事業者は、作成したプロファイルを用いてユーザの関心事項や選考事項に適するターゲット広告を提供する。
【００１２】
図２は、異なるメディア間における同一ユーザを対応付ける従来技術を説明するための図である。
【００１３】
まず、ユーザ２は、スマートフォン９２Ａなどのユーザ端末(機器９２）のブラウザを利用してＷｅｂサイトのゲストページ８０５にアクセスしたとする。そして、ユーザ２は例えば、Ｗｅｂサイトの車に関するページ、服に関するページ、子供に関するページにアクセスし、クッキーとよばれるブラウザに発行された識別ＩＤはcookie_guest001であるとする。このような場合、ユーザＤＢには、cookie_guest001の識別ＩＤでまとめられたアクセスログ８０６Ａがcookie_guest001の識別ＩＤのプロファイル８０６Ｂとして記憶される。
【００１４】
次に、ユーザ２は、このＷｅｂサイトのログインページ８０７に例えばａａａのユーザＩＤと、所定のパスワードとを入力してログインすると、ログイン後の会員専用ページ８０８がユーザ端末(機器９２）のブラウザに表示される。この場合、ログインした際に特定されたａａａのユーザＩＤとcookie_guest001の識別ＩＤとが同一ユーザであるとして対応付けられる。それにより、ユーザＤＢには、ａａａのユーザＩＤにcookie_guest001の識別ＩＤでまとめられたアクセスログ８０６ＡがａａａのユーザＩＤのプロファイル８０８Ｂとして記憶される。
【００１５】
このようにして、異なるメディア間に対応する異なるＷｅｂページ（ゲストページ８０５、ログイン後の会員専用ページ８０８）の同一ユーザを対応付けることができる。
【００１６】
図３は、従来技術の課題を説明するための図である。
【００１７】
ユーザ２は、スマートフォン９２Ａや、ＰＣ９２Ｂ、Ｗｅｂにアクセス可能なスマートテレビであるＴＶ９２Ｃなどの機器９２を利用してＷＥＢページにアクセスすることができる。また、ユーザ２は、ＳＴＢ（Set Top Box）９１などの情報機器を利用して、Ｗｅｂページにアクセスしたり、提供される番組視聴を行ったりすることができる。
【００１８】
図３では、例えばスマートフォン９２Ａのブラウザ９０１を利用してオンラインショップＡのサイトにアクセスして買い物等を行う場合が示されている。この場合には、ブラウザ９０１でのアクセスログ９０１Ａが、オンラインショップＡのユーザＤＢ９０２に記録される。また、例えばＰＣ９２Ｂのブラウザ９０３を利用してオンラインショップＢのサイトにアクセスして買い物等を行う場合には、ブラウザ９０３でのアクセスログ９０３Ａが、オンラインショップＢのユーザＤＢ９０４に記録される。
【００１９】
同様に、ＴＶ９２ＣやＳＴＢ９１のポータル画面であるＴＶポータル９０５でＷｅｂページにアクセスまたは番組視聴を行った場合には、ＴＶポータル９０５でのアクセスログ９０５Ａまたは視聴履歴９０５Ｂが、ＴＶポータル９０５のユーザＤＢ９０６に記録される。
【００２０】
しかしながら、オンラインショップＡをアクセスしたユーザ２とオンラインショップＢをアクセスしたユーザ２とが同一のユーザであるかどうかは、図２で説明した方法では紐付けできない。同様に、オンラインショップＡをアクセスしたユーザ２とＴＶポータル９０５を利用したユーザ２とが同一のユーザであるかどうかは、図２で説明した方法では紐付けできない。そのため、ユーザ２自身に同一ユーザを対応付ける登録作業を行ってもらう等の追加操作が必要となってしまう。
【００２１】
また、特許文献１に記載の方法では、同一ユーザを対応付ける識別情報にＩＰアドレス、サービスユーザＩＤ、ＭＡＣアドレス、住民登録番号を用いる場合が示されているが、いずれの場合でもログイン等のユーザの追加操作を行うことが必要となる。
【００２２】
このように、従来技術では、異なるメディア間での同一のユーザの対応づけには、ログイン等のユーザの追加操作が必要であり、ユーザにとって煩雑であるという問題がある。  
【００２３】
ユーザが普段行わない作業（追加操作）が発生すると、ユーザに追加操作をしてもらえない可能性も高く、異なるメディア間のユーザの紐付け率が低下してしまうことが十分に考えられる。この場合、ユーザの関心事項や選考事項をより多く収集しても活用できない。つまり、異なるメディア間のユーザの紐付けのためにユーザが普段行わない作業（追加操作）を発生させてしまう場合には、ユーザに対してより最適な情報提供を行うことができないという問題も生じる。
【００２４】
また、同一ユーザを対応付ける識別情報にＩＰアドレスを利用する場合には、ＩＰアドレスは変動しやすく異なるメディア間のユーザの紐付けの正確性に問題がある。また、同一ユーザを対応付ける識別情報にＭＡＣアドレスを利用する場合には、外部のＷｅｂサーバに通常のブラウザ経由で情報伝達ができないという問題がある。
【００２５】
そこで、本発明の一態様は、かかる問題に鑑みてなされたものであって、ログイン等のユーザの追加操作なく、同一のユーザを対応づけることができる情報機器特定システム、情報機器特定方法、情報機器およびプログラムを提供することを目的とする。
【００２６】
以下、適宜図面を参照しながら、本発明の実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２７】
なお、発明者（ら）は、当業者が本開示を十分に理解するために添付図面および以下の説明を提供するのであって、これらによって請求の範囲に記載の主題を限定することを意図するものではない。
【００２８】
（実施の形態１）
［全体構成］
図４は、実施の形態１における情報機器特定システムの概略構成の一例を示す図である。
【００２９】
図４に示す宅内１には、情報機器１１の一例であるＳＴＢ１１Ａと、機器１２の一例であるスマートフォン１２Ａ、ＰＣ１２ＢおよびＴＶ１２Ｃとがルータ１３を介して、ネットワーク情報装置１０の一例であるモデム１０Ａに接続されている。
【００３０】
モデム１０Ａは、情報機器１１または機器１２を、たとえばインターネット３など宅内１の外部にあるネットワークに接続するためのネットワーク情報装置１０の一例である。  
【００３１】
ここで、本実施の形態の情報機器特定システムは、ネットワーク情報装置１０と情報機器１１とを備えるとしてもよいし、ネットワーク情報装置１０と情報機器１１と機器１２とを備えるとしてもよい。以下では、情報機器特定システムがネットワーク情報装置１０と情報機器１１とを備える場合について説明する。
【００３２】
［ネットワーク情報装置の構成］
次に、ネットワーク情報装置１０の構成について説明する。
【００３３】
図５は、実施の形態１におけるネットワーク情報装置の構成の一例を示すブロック図である。図６は、図５に示す取得部の詳細構成の一例を示すブロック図である。
【００３４】
図５に示すネットワーク情報装置１０は、ＤＮＳスプーラ１０１と、リモートホスト保持部１０５と、情報機器ＩＰアドレス保持部１０６と、取得部１０７と、通信部１０８と、応答判定部１０９とを備える。
【００３５】
リモートホスト保持部１０５は、所定のリモートホストを示す特定リモートホスト名を保持する。
【００３６】
ＤＮＳスプーラ１０１は、受付部１０２、ＩＰアドレス応答部１０３および判定部１０４を有し、一のリモートホスト名に対応するＩＰ（Internet Protocol）アドレスの問い合わせを受け付けて応答する。
【００３７】
受付部１０２は、機器が一のリモートホストに接続するための前記一のリモートホストを示す一のリモートホスト名に対応するＩＰアドレスの問い合わせを受付ける。
【００３８】
判定部１０４は、受付部１０２により受付けられた一のリモートホスト名が、リモートホスト保持部１０５により保持されている特定リモートホスト名に一致するか否かを判定する。
【００３９】
ＩＰアドレス応答部１０３は、判定部１０４により一のリモートホスト名と特定リモートホスト名の一とが一致すると判定された場合に、一のリモートホストを示すＩＰアドレスに代えて情報機器１１のＩＰアドレスを機器１２に応答する。ＩＰアドレス応答部１０３は、判定部１０４により一のリモートホスト名と特定リモートホスト名の一とが一致しないと判定された場合には、一のリモートホストを示すＩＰアドレスを機器１２に応答する。
【００４０】
情報機器ＩＰアドレス保持部１０６は、取得部１０７により取得された情報機器１１のＩＰアドレスを保持する。
【００４１】
取得部１０７は、図６に示すようにリモートホスト取得部１０７１と、ＩＰアドレス取得部１０７２とを備える。リモートホスト取得部１０７１は、所定のリモートホストを示す特定リモートホスト名を取得する。ＩＰアドレス取得部１０７２は、情報機器１１のＩＰアドレスを取得する。
【００４２】
通信部１０８は、インターネット３など宅内１の外部にあるネットワークに接続され、インターネット３上のＤＮＳサーバや管理サーバ等と通信する。また、通信部１０８は、情報機器１１または機器１２を、インターネット３など宅内１の外部にあるネットワークに接続する。
【００４３】
応答判定部１０９は、後述する情報機器１１が有する機器ＩＤ応答部１１１が応答できる状態であるか否かを判定する。
【００４４】
具体的には、応答判定部１０９は、機器ＩＤ応答部１１１が応答できない状態であると判定した場合、一のリモートホスト名に対応するＩＰアドレスの問い合わせを、通信部１０８を介して、情報機器特定システムの外部のＤＮＳサーバに送信する。一方、応答判定部１０９は、機器ＩＤ応答部１１１が応答できる状態であると判定した場合、一のリモートホスト名に対応するＩＰアドレスの問い合わせを、ＤＮＳスプーラ１０１（受付部１０２）に送信する。
【００４５】
ここで、例えば、応答判定部１０９は、情報機器１１の電源が投入されていないとき、機器ＩＤ応答部１１１が応答できない状態であると判定し、情報機器１１の電源が投入されているとき、機器ＩＤ応答部１１１が応答できる状態であると判定するとしてもよい。
【００４６】
なお、ネットワーク情報装置１０は、情報機器ＩＰアドレス保持部１０６を有していないとしてもよい。この場合には、ネットワーク情報装置１０は、ＩＰアドレス応答部１０３が情報機器１１のＩＰアドレスを機器１２に応答するまでの間に、ネットワーク情報装置１０が接続するネットワークを探索し、取得すればよい。
【００４７】
［情報機器の構成］
次に、情報機器１１の構成について説明する。
【００４８】
図７は、実施の形態１における情報機器の構成の一例を示すブロック図である。
【００４９】
図７に示す情報機器１１は、機器ＩＤ応答部１１１と、情報機器ＩＤ保持部１１２と、リダイレクトＵＲＬ保持部１１３と、通信部１１４とを備える。
【００５０】
機器ＩＤ応答部１１１は、機器１２に、ＩＰアドレス応答部１０３の応答した情報機器１１のＩＰアドレスを用いて、上記一のリモートホストに対してデータを取得する要求を行わせることにより、所定のリダイレクト先への接続を指示する情報と情報機器１１を一意に特定する特定情報（機器ＩＤ）とを含むデータを機器１２に応答する。
【００５１】
情報機器ＩＤ保持部１１２は、情報機器１１を一意に特定する特定情報を保持する。ここで、例えば特定情報とは、情報機器１１のＩＤ（機器ＩＤ）である。
【００５２】
リダイレクトＵＲＬ保持部１１３は、所定のリダイレクト先のＵＲＬ（リダイレクトＵＲＬとも記載）を保持する。ここで、リダイレクトは、Ｗｅｂ上で、あるＵＲＬから他のＵＲＬに転送させることを意味し、リダイレクトＵＲＬは、Ｗｅｂ上で、転送させるＵＲＬを意味する。
【００５３】
通信部１１４は、情報機器１１または機器１２と通信する機能を有する。例えば通信部１１４は、機器１２が情報機器１１のＩＰアドレスにアクセスしてきた場合には、機器ＩＤ応答部１１１と機器１２とを接続する。また、例えば通信部１１４は、ネットワーク情報装置１０の通信部１０８を介して取得部１０７に情報機器１１のＩＰアドレスを定期的に通知したり、取得部１０７の問い合わせ（探索）を受けて情報機器１１のＩＰアドレスを応答したりする。
【００５４】
なお、情報機器１１は、リダイレクトＵＲＬ保持部１１３を有していないとしてもよい。この場合、情報機器１１は、機器ＩＤ応答部１１１が所定のリダイレクト先への接続を指示する情報を作成するまでの間（リダイレクト転送命令作成時）に、通信部１１４を介して外部ネットワークに接続するサーバにアクセスして取得するとしてもよい。
【００５５】
［情報機器特定システムの通信シーケンス］
次に、以上のように構成される情報機器特定システムの通信シーケンスについて説明する。
【００５６】
図８は、実施の形態１における情報機器特定システムの通信シーケンスの一例を示す図である。図９は、図８に示す通信シーケンスの別の表現で示した図である。図９では、情報機器１１の一例としてＳＴＢ１１Ａが示されており、機器１２とユーザ２の一例として、スマートフォン１２Ａを利用するユーザ２ＡとＰＣ１２Ｂを利用するユーザ２Ｂが示されている。なお、図８と同様の要素には同一の符号を付している。図９は、図８を直感的に把握できるように別の表現で示したものである。
【００５７】
本実施の形態１における情報機器特定システムは、ユーザ２がスマートフォン１２ＡやＰＣ１２Ｂなどの機器１２を用いてＷｅｂサイトにアクセスする前に事前処理を行っている。以下、事前処理について説明する。
【００５８】
まず、ネットワーク情報装置１０は、電源ＯＮされると（Ｓ２０１）、ネットワーク情報装置１０が属するローカルネットワーク（ＬＡＮ）の外部のワイドネットワーク（例えばインターネット３）に接続されている管理サーバ５にアクセスし、所定のリモートホストを示す特定リモートホスト名のリスト（最新のリスト）を取得する（Ｓ２０２）。本実施の形態では所定のリモートホストを示す特定リモートホスト名として、例えばcookie.sync.comを取得する。
【００５９】
次に、ネットワーク情報装置１０は、例えばＳＴＢ１１Ａなどの情報機器１１の状態を確認する（Ｓ２０３）。本実施の形態では、ネットワーク情報装置１０は、ＩＣＭＰ（Internet Control Message Protocol）を用いて、情報機器１１を発見し、ＳＮＭＰ（Simple Network Management Protocol）で情報機器１１に対して情報取得要求を行う。情報機器１１は、電源が投入されているなど機器ＩＤ応答部１１１が応答できる状態である場合に、生存応答としてＩＰアドレス（ここでは例えば192.168.0.100）をネットワーク情報装置１０に返信する。このようにして、ネットワーク情報装置１０は、情報機器１１のＩＰアドレスを取得して保存することができる。
【００６０】
そして、情報機器１１は、ネットワーク情報装置１０を介して管理サーバ５にアクセスし、所定のリダイレクトＵＲＬを取得する（Ｓ２０４）。本実施の形態では所定のリダイレクトＵＲＬとして、例えばＵＲＬ「http://ad.server.com/get/」を取得する。
【００６１】
続いて、以上のように事前処理を行った情報機器特定システムにおいて、ユーザ２がスマートフォン１２ＡやＰＣ１２Ｂなどの機器１２を用いてＷｅｂサイトにアクセスする場合について説明する。
【００６２】
まず、ユーザ２は、機器１２の例えばブラウザを利用してＷｅｂサイトにアクセスする（Ｓ２０５）。
【００６３】
すると、機器１２のブラウザは、アクセスしたＷｅｂサイトと共にＷｅｂサイトの広告枠に提供される広告を表示する（Ｓ２０６）。
【００６４】
本実施の形態では、機器１２のブラウザは、ネットワーク情報装置１０を介してＷｅｂサーバ６にアクセスするとともに、Ｗｅｂサイトの広告枠に提供される広告を表示する。この広告枠には「Cookies syncタグ」が埋め込まれている。ここで、「Cookies syncタグ」とはＷｅｂサイトを記述するＨＴＭＬ（Hyper Text Markup Language）において、画像データの取得要求を行う際に記述するタグであり、他ドメインにおけるＷｅｂサイトの画像ＵＲＬを記述することによりクッキーの値を他ドメインに渡すことを目的としたタグの呼称である。
【００６５】
また、機器１２のブラウザは、Ｗｅｂサイトの広告枠に提供される広告を表示する際には、広告枠に埋め込まれている「Cookies syncタグ」にアクセスする（Ｓ２０７）。そして、機器１２のブラウザは、「Cookies syncタグ」の応答、すなわち「Cookies syncタグ」が指定する画像タグを表示する命令の応答（Ｓ２０８）により、リモートホストデータ取得要求命令を受け付ける。本実施の形態では、機器１２のブラウザは、リモートホストデータ「http://cookie.sync.com/img/blank.gif」を取得する命令を受け付ける。
【００６６】
次に、機器１２のブラウザは、ネットワーク情報装置１０に、リモートホスト名をＩＰアドレスに変換する要求（ＤＮＳ問い合わせ）を行う（Ｓ２０９）。
【００６７】
より具体的には、機器１２のブラウザは、まず、リモートホスト名「cookie.sync.com」のＩＰアドレスをリクエストするＤＮＳリクエストをネットワーク情報装置１０に行う。すると、機器１２のブラウザは、ネットワーク情報装置１０からは、リモートホスト名「cookie.sync.com」のＩＰアドレスではなく、情報機器１１のＩＰアドレス「192.168.0.100」をＤＮＳレスポンスとして取得する。
【００６８】
次に、機器１２は、リモートホスト名「cookie.sync.com」のＩＰアドレスを取得したとして、取得したＩＰアドレスにアクセスしてＷＷＷデータ（ここでは画像タグのデータ）を取得しようとする（Ｓ２１０）。
【００６９】
より具体的には、機器１２のブラウザは、リモートホスト名「cookie.sync.com」のＩＰアドレスを取得したとして、情報機器１１のＩＰアドレスにアクセスしてＷＷＷデータ（ここでは画像タグのデータ）を要求する。本実施の形態では、機器１２のブラウザは、「http://192.168.0.100/img/blank.gif」にアクセスしてＷＷＷデータを要求する。
【００７０】
すると、情報機器１１は、ＷＷＷデータではなく、リダイレクト命令の応答を生成して（Ｓ２１１）、情報機器１１の機器ＩＤ（特定情報）と、所定のリダイレクト先（所定のリダイレクトＵＲＬ）への接続を命令する情報とを含む応答を機器１２のブラウザに対して行う。
【００７１】
次に、機器１２のブラウザは、リダイレクト命令に従い、リダイレクト先（リダイレクトＵＲＬ）のサイト７に対してＷＷＷデータ（画像タグのデータ）を取得するためアクセスする（Ｓ２１０）。本実施の形態では、機器１２のブラウザは、リダイレクト命令に従い、リダイレクト先（リダイレクトＵＲＬ）にアクセスする際には、情報機器１１の機器ＩＤ（特定情報）と、所定のリダイレクト先（所定のリダイレクトＵＲＬ）の情報とを含めたデータ（http://ad.server.com/get/?stb=xxx）とともに、機器１２のブラウザのＣｏｏｋｉｅ  ＩＤ（Cookie: adserver_id=yyy）をリダイレクト先のサイト７に受け渡すことでアクセスする。
【００７２】
次に、リダイレクトＵＲＬのサイト７は、機器１２のブラウザから上記のパラメータを取得し、応答データ（例えば透明ＧＩＦ画像）を作成して返却する（Ｓ２１３）。
【００７３】
最後に、リダイレクトＵＲＬのサイト７を提供するサーバにおいて、サイト７で取得したパラメータ（stb=xxx、Cookie id=yyy）を紐付けして（Ｓ２１４）、処理を終了する。
【００７４】
このようにして、本実施の形態の情報機器特定システムでは、ログイン等のユーザの追加操作なく、情報機器１１のユーザと機器１２のユーザが同一であることを対応づけることができる。
【００７５】
なお、Ｓ２０８において、「Cookies syncタグ」により指定されたリモートホスト名が、ネットワーク情報装置１０のリモートホスト保持部１０５により保持されている特定リモートホスト名に一致しない場合には、ネットワーク情報装置１０は、リモートホスト名「cookie.sync.com」のＩＰアドレスをＤＮＳレスポンスとして取得する。
【００７６】
また、Ｓ２０９は、ユーザ２が機器１２をネットワーク情報装置１０と同一のローカルネットワーク（ＬＡＮ）内で利用している場合の例である。ユーザ２が機器１２をネットワーク情報装置１０とは異なるネットワーク（例えば宅外のインターネット）で利用している場合には、機器１２のブラウザは、ネットワーク情報装置１０ではなく、インターネット内のＤＮＳサーバにＤＮＳ問い合わせを行う。以下、図１０を用いてこの場合の例について説明する。
【００７７】
図１０は、実施の形態１における情報機器特定システムの通信シーケンスの一例を示す図である。
【００７８】
まず、ユーザ２は、機器１２の例えばブラウザを利用してＷｅｂサイトにアクセスする（Ｓ３０５）。
【００７９】
すると、機器１２のブラウザは、アクセスしたＷｅｂサイトと共にＷｅｂサイトの広告枠に提供される広告を表示する（Ｓ３０６）。
【００８０】
本実施の形態では、機器１２のブラウザは、ネットワーク情報装置１０を介してＷｅｂサーバ６にアクセスするとともに、Ｗｅｂサイトの広告枠に提供される広告を表示する。この広告枠にはCookies syncタグが埋め込まれている。
【００８１】
また、機器１２のブラウザは、Ｗｅｂサイトの広告枠に提供される広告を表示する際には、広告枠に埋め込まれている「Cookies syncタグ」にアクセスする（Ｓ３０７）。そして、機器１２のブラウザは、「Cookies syncタグ」の応答、すなわち「Cookies syncタグ」が指定する画像タグを表示する命令の応答（Ｓ３０８）により、リモートホストデータ取得要求命令を受け付ける（Ｓ３０９）。本実施の形態では、機器１２のブラウザは、リモートホストデータ「http://cookie.sync.com/img/blank.gif」を取得する命令を受け付ける。
【００８２】
次に、機器１２のブラウザは、ＤＮＳサーバ８に、リモートホスト名をＩＰアドレスに変換する要求（ＤＮＳ問い合わせ）を行う。より具体的には、機器１２のブラウザは、まず、リモートホスト名「cookie.sync.com」のＩＰアドレスをリクエストするＤＮＳリクエストをＤＮＳサーバ８に行う（Ｓ３１０）。すると、ＤＮＳサーバ８は、ホスト名ともとにＩＰアドレスを検索し、応答する（Ｓ３１１）。機器１２のブラウザは、ＤＮＳサーバ８から、リモートホスト名「cookie.sync.com」のＩＰアドレス「例えば210.***.211.5」をＤＮＳレスポンスとして取得する（Ｓ３１２）。
【００８３】
次に、機器１２は、リモートホスト名「cookie.sync.com」のＩＰアドレス「210.***.211.5」にＨＴＴＰアクセス(http:// 210.***.211.5/img/blank.gif)して（Ｓ３１３）、ＷＷＷデータ（ここでは画像タグのデータ）を取得する（Ｓ３１４）。
【００８４】
［効果等］
図１１は、実施の形態１における機器特定システムによる効果を概念的に示す図である。
【００８５】
本実施の形態によれば、例えば図１１に示すように、スマートフォン１２ＡやＰＣ１２Ｂ、ＴＶ１２Ｃなどの機器１２を利用しているユーザ２と、例えばＳＴＢ１１Ａなどの情報機器１１を利用しているユーザ２が同一であることを紐付ける（対応づける）ことができる。そして、この対応付けは、上述したように、ログイン等のユーザの追加操作なく、ユーザが通常行う操作（Ｗｅｂサイトへのアクセス、情報機器１１の視聴等）を行っているだけで実現することができる。
【００８６】
なお、図１１に示す例では、スマートフォン１２ＡやＰＣ１２Ｂ、ＴＶ１２Ｃなどの機器１２を利用するユーザ２のアクセスログと、例えばＳＴＢ１１Ａなどの情報機器１１を利用するユーザ２のユーザ情報とが紐付けされている例が示されている。図１１に示すアクセスログには、ユーザ２がアクセスしたＷｅｂサイトのカテゴリＡ：車、服、オークションに関するページ、カテゴリＢ：服、子供、教育に関するページ等々が示されている。また、ユーザ情報には、ユーザ２の氏名とＳＴＢ１１Ａなどの情報機器１１の特定情報（ＳＴＢＩＤ）とが登録されている。
【００８７】
なお、本実施の形態において、ネットワーク情報装置１０は、ＤＮＳスプーラ１０１と、リモートホスト保持部１０５と、情報機器ＩＰアドレス保持部１０６と、取得部１０７と、通信部１０８と、応答判定部１０９とを備えるとしたがそれに限らない。ネットワーク情報装置１０は、ＤＮＳスプーラ１０１と、リモートホスト保持部１０５とを少なくとも、備えれば、本実施の形態の効果を奏することができる。同様に、本実施の形態において、情報機器１１は、機器ＩＤ応答部１１１と、情報機器ＩＤ保持部１１２と、リダイレクトＵＲＬ保持部１１３と、通信部１１４とを備えるとしたがそれに限らない。情報機器１１は、機器ＩＤ応答部１１１を少なくとも、備えれば、本実施の形態の効果を奏することができる。また、ＤＮＳスプーラ１０１と、リモートホスト保持部１０５と、機器ＩＤ応答部１１１とは、ネットワーク情報装置１０や情報機器１１が備えるとしたが、それに限られず本実施の形態に係る情報機器特定システムが備えていればよい。
【００８８】
したがって、本実施の形態に係る情報機器特定システムは、所定のリモートホストを示す特定リモートホスト名を保持するリモートホスト保持部と、機器が一のリモートホストに接続するための前記一のリモートホストを示す一のリモートホスト名に対応するＩＰ（Internet Protocol）アドレスの問い合わせを受付ける受付部と、前記受付部により受付けられた前記一のリモートホスト名が、前記リモートホスト保持部により保持されている特定リモートホスト名に一致するか否かを判定する判定部と、前記判定部により前記一のリモートホスト名と前記特定リモートホスト名の一とが一致すると判定された場合に、前記一のリモートホストを示すＩＰアドレスに代えて情報機器のＩＰアドレスを前記機器に応答するＩＰアドレス応答部と、前記機器に、前記ＩＰアドレス応答部の応答した前記情報機器のＩＰアドレスを用いて、前記一のリモートホストに対してデータを取得する要求を行わせることにより、所定のリダイレクト先への接続を指示する情報と前記情報機器を一意に特定する特定情報（機器ＩＤ）とを含むデータを前記機器に応答する機器ＩＤ応答部と、を備える。
【００８９】
ここで、前記情報機器特定システムは、ネットワーク情報装置と前記情報機器とを備え、前記ネットワーク情報装置は、前記リモートホスト保持部、前記受付部、前記判定部、および、前記ＩＰアドレス応答部と、を有し、前記情報機器は、前記機器ＩＤ応答部を有するとしてもよい。
【００９０】
また、前記情報機器特定システムは、さらに、前記機器ＩＤ応答部が応答できる状態であるか否かを判定する応答判定部を備え、前記応答判定部は、前記機器ＩＤ応答部が応答できない状態であると判定した場合、前記一のリモートホスト名に対応するＩＰアドレスの問い合わせを、前記情報機器特定システムの外部のＤＮＳサーバに送信するとしてもよい。
【００９１】
また、前記情報機器特定システムは、さらに、前記特定リモートホスト名を取得するリモートホスト取得部を備えるとしてもよい。
【００９２】
また、前記情報機器特定システムは、さらに、前記情報機器のＩＰアドレスを取得するＩＰアドレス取得部と、取得された前記情報機器のＩＰアドレスを保持する情報機器ＩＰアドレス保持部とを備えるとしてもよい。
【００９３】
また、本実施の形態に係る情報機器特定方法は、所定のリモートホストを示す特定リモートホスト名を保持するリモートホスト保持ステップと、機器が一のリモートホストに接続するための前記一のリモートホストを示す一のリモートホスト名に対応するＩＰアドレスの問い合わせを受付ける受付ステップと、前記受付ステップで受付けられた前記一のリモートホスト名が、前記リモートホスト保持ステップで保持された特定リモートホスト名に一致するか否かを判定する判定ステップと、前記判定ステップにおいて前記一のリモートホスト名と前記特定リモートホスト名の一とが一致すると判定された場合に、前記一のリモートホストを示すＩＰアドレスに代えて情報機器のＩＰアドレスを前記機器へ応答するＩＰアドレス応答ステップと、前記機器に、前記ＩＰアドレス応答ステップにおいて応答した情報機器のＩＰアドレスを用いて、前記一のリモートホストに対してデータを取得する要求を行わせることにより、前記所定のリダイレクト先への接続を指示する情報と前記情報機器を一意に特定する特定情報（機器ＩＤ）とを含むデータを応答する機器ＩＤ応答ステップと、を含む。
【００９４】
また、本実施の形態に係る情報機器特定方法をコンピュータに実行させるためのプログラムは、所定のリモートホストを示す特定リモートホスト名を保持するリモートホスト保持ステップと、機器が一のリモートホストに接続するための前記一のリモートホストを示す一のリモートホスト名に対応するＩＰアドレスの問い合わせを受付ける受付ステップと、前記受付ステップで受付けられた前記一のリモートホスト名が、前記リモートホスト保持ステップで保持された特定リモートホスト名に一致するか否かを判定する判定ステップと、前記判定ステップにおいて前記一のリモートホスト名と前記特定リモートホスト名の一とが一致すると判定された場合に、前記一のリモートホストを示すＩＰアドレスに代えて情報機器のＩＰアドレスを前記機器へ応答するＩＰアドレス応答ステップと、前記機器に、前記ＩＰアドレス応答ステップにおいて応答した情報機器のＩＰアドレスを用いて、前記一のリモートホストに対してデータを取得する要求を行わせることにより、前記所定のリダイレクト先への接続を指示する情報と前記情報機器を一意に特定する特定情報（機器ＩＤ）とを含むデータを応答する機器ＩＤ応答ステップとをコンピュータに実行させるためのプログラムである。
【００９５】
また、本実施の形態に係る情報機器は、ネットワーク情報装置（ケーブルモデム、ルータ）に接続され、当該ネットワーク情報装置と同一のローカルエリア内に配される情報機器であって、一のリモートホストに対してデータを取得する要求を行う前記ローカルエリア内の機器であって、前記一のリモートホストを示すＩＰアドレスに代えて前記情報機器のＩＰアドレスを用いて当該要求を行った機器に、所定のリダイレクト先への接続を指示する情報と前記情報機器を一意に特定する特定情報（機器ＩＤ）とを含むデータを応答する機器ＩＤ応答部と、を備える。
【００９６】
ここで、本実施の形態に係る情報機器の機能をコンピュータに実行させるためのプログラムで実現してもよい。すなわち、ネットワーク情報装置（ケーブルモデム、ルータ）に接続され、当該ネットワーク情報装置と同一のローカルエリア内に配される情報機器が応答するためのプログラムであって、一のリモートホストに対してデータを取得する要求を行う前記ローカルエリア内の機器であって、前記一のリモートホストを示すＩＰアドレスに代えて前記情報機器のＩＰアドレスを用いて当該要求を行った機器に、所定のリダイレクト先への接続を指示する情報と前記情報機器を一意に特定する特定情報（機器ＩＤ）とを含むデータを応答する機器ＩＤ応答ステップを、コンピュータに実行させるためのプログラムであってもよい。
【００９７】
このように、ユーザは、機器１２を通常通りに利用することで、ユーザの追加操作なく、情報機器１１を利用するユーザと機器１２を利用するユーザとが同一であることを対応づけることができる。
【００９８】
以上のように、本実施の形態によれば、ログイン等のユーザの追加操作なく、同一のユーザを対応づけることができる情報機器特定システム、情報機器特定方法、情報機器およびプログラムを実現することができる。
【００９９】
（実施の形態２）
実施の形態１では、ネットワーク情報装置１０がＤＮＳスプーラ１０１とリモートホスト保持部１０５とを備えるとして説明したがそれに限らない。ネットワーク情報装置は、ＤＮＳスプーラとリモートホスト保持部とを備えなくてもよい。実施の形態２では、この場合の例について説明する。なお、以下では実施の形態１と同様の部分は説明を省略し、異なる点を中心に説明する。
【０１００】
［全体構成］
図１２は、実施の形態２における情報機器特定システムの構成の一例を示す図である。なお、図４、図５および図７と同様の要素には同一の符号を付しており、詳細な説明は省略する。
【０１０１】
図１２に示す実施の形態２における情報機器特定システムは、点線囲に含まれる情報機器１１とネットワーク情報装置２０とを備える。また、図１２では、実施の形態２における情報機器特定システムに機器１２とサーバ２４とが接続される。サーバ２４は、インターネット３などを介して実施の形態２における情報機器特定システムに接続される。
【０１０２】
本実施の形態のネットワーク情報装置２０の構成は、実施の形態１のネットワーク情報装置１０の構成と異なる。より具体的には、ネットワーク情報装置２０は、実施の形態１のネットワーク情報装置１０に対して、ＤＮＳスプーラとリモートホスト保持部とを備えず、取得部２０７の機能が異なる。
【０１０３】
取得部２０７は、図６に示すリモートホスト取得部１０７１およびＩＰアドレス取得部１０７２のうち、ＩＰアドレス取得部１０７２のみを備える。ＩＰアドレス取得部１０７２の機能については実施の形態１で説明した通りであるので、説明を省略する。
【０１０４】
サーバ２４は、ネットワーク情報装置２０と異なるネットワーク（ＷＡＮ）に属しており、インターネット３を介して、ネットワーク情報装置２０と接続される。
【０１０５】
サーバ２４は、図１２に示すように、ＤＮＳスプーラ１０１と、リモートホスト保持部１０５と、通信部２４１とを備える。ＤＮＳスプーラ１０１およびリモートホスト保持部１０５の機能は実施の形態１で説明した通りであるので、ここでの説明は省略する。
【０１０６】
通信部２４１は、インターネット３など宅内１の外部にあるネットワークを介して、ネットワーク情報装置２０と通信する。また、通信部２４１は、インターネット３を介して、所定のリモートホストを示す特定リモートホスト名を取得する。すなわち、通信部２４１は、実施の形態１のリモートホスト取得部１０７１の機能も有する。
【０１０７】
［効果等］
以上のように、本実施の形態によれば、ログイン等のユーザの追加操作なく、同一のユーザを対応づけることができる情報機器特定システム、情報機器特定方法、情報機器およびプログラムを実現することができる。
【０１０８】
（実施の形態３）
実施の形態２では、ネットワーク情報装置２０は、ＤＮＳスプーラ１０１とリモートホスト保持部１０５とを備えず、その代りに、外部のネットワークに属するサーバ２４のＤＮＳスプーラ１０１の機能を利用する場合について説明した。
【０１０９】
実施の形態３では、ＤＮＳスプーラ１０１の機能をユーザ２が利用する機器が備える場合について説明する。なお、実施の形態１および実施の形態２と同様の部分は説明を省略し、異なる点を中心に説明する。
【０１１０】
［全体構成］
図１３は、実施の形態３における情報機器特定システムの構成の一例を示す図である。なお、図４、図５および図７と同様の要素には同一の符号を付しており、詳細な説明は省略する。また、図１３に示す情報機器特定システムは、点線囲に含まれる情報機器１１と機器３２とを備える。また、図１３では、実施の形態３における情報機器特定システムでは、機器３２がインターネット３などを介して管理サーバ５と接続される場合の例が示されている。つまり、図１３に示す情報機器特定システムでは、ネットワーク情報装置１０を備えず、ネットワーク情報装置１０の機能を機器３２で実現する場合の例が示されている。
【０１１１】
［機器の構成］
以下、機器３２の構成について説明する。
【０１１２】
図１３に示す機器３２は、実施の形態１の機器１２に対してＤＮＳスプーラ機能を有している点で異なる。
【０１１３】
図１３に示す機器３２は、Ｗｅｂサイトにアクセスする機能や通信機能など機器３２の本来の機能を発揮する本来機能部３２１と、ＤＮＳスプーラ機能３２２とを備える。
【０１１４】
ＤＮＳスプーラ機能３２２は、受付部機能３２３、ＩＰアドレス応答部機能３２４、および判定部機能３２５を有する。
【０１１５】
受付部機能３２３、ＩＰアドレス応答部機能３２４、および判定部機能３２５は、実施の形態１における受付部１０２、ＩＰアドレス応答部１０３および判定部１０４のそれぞれに対応する機能を発揮する機能部である。なお、受付部１０２、ＩＰアドレス応答部１０３および判定部１０４のそれぞれに対応する機能については、実施の形態１で説明した通りであるため、説明を省略する。
【０１１６】
以上のように構成されるＤＮＳスプーラ機能３２２は、機器３２にインストールされるソフトウェア（プログラム）で実現されるとしてもよい。以下、その場合の例を実施例として説明する。
【０１１７】
（実施例）
図１４は、実施の形態３におけるＤＮＳスプーラ機能をソフトウェアで実現する場合の構成の一例を示す図である。以下では、機器３２がＰＣ（Personal Computer)などの機器であるとして説明する。
【０１１８】
図１４に示す機器３２のソフトウェアは、ＤＮＳスプーラ機能３２２Ａと、リモートホスト保持部機能３２６と、情報機器ＩＰアドレス保持部機能３２７とを含む。
【０１１９】
リモートホスト保持部機能３２６および情報機器ＩＰアドレス保持部機能３２７は、実施の形態１におけるリモートホスト保持部１０５と、情報機器ＩＰアドレス保持部１０６のそれぞれに対応する機能を発揮する機能部である。ここで、リモートホスト保持部機能３２６および情報機器ＩＰアドレス保持部機能３２７は、ＰＣ３２Ａ（機器３２）に、ソフトウェアをインストールすることで実現できる。
【０１２０】
なお、リモートホスト保持部１０５および情報機器ＩＰアドレス保持部１０６それぞれに対応する機能については、実施の形態１で説明した通りであるため、説明を省略する。
【０１２１】
ＤＮＳスプーラ機能３２２Ａは、受付部機能３２３Ａ、ＩＰアドレス応答部機能３２４Ａ、および定義ファイル３２５Ａを有する。なお、ＤＮＳスプーラ機能３２２Ａは、実施の形態１で説明したＤＮＳスプーラ１０１と同様の機能を発揮する。本実施例では、実施の形態１と異なる点を中心に説明する。
【０１２２】
ＤＮＳスプーラ機能３２２Ａは、ＰＣ３２Ａ（機器３２）のＯＳ基本機能を利用することにより実現できる。
【０１２３】
受付部機能３２３Ａは、ＰＣ３２Ａ（機器３２）のブラウザが一のリモートホストに接続するための前記一のリモートホストを示す一のリモートホスト名に対応するＩＰアドレスの問い合わせを受付ける。ＩＰアドレス応答部機能３２４は、定義ファイル３２５Ａにおいて一のリモートホスト名と特定リモートホスト名の一とが一致する場合に、一のリモートホストを示すＩＰアドレスに代えて情報機器１１のＩＰアドレスをＰＣ３２Ａ（機器３２）のブラウザに応答する。
【０１２４】
ここで、ＰＣ３２Ａ（機器３２）のＯＳ基本機能には、ＩＰ変換を行う機能が搭載されており、受付部機能３２３と、ＩＰアドレス応答部機能３２４は、ＰＣ３２Ａ（機器３２）のＯＳ基本機能により実現することができる。
【０１２５】
一方、判定部機能３２５に対する定義ファイル３２５Ａは、ＯＳ基本機能だけでは実現できない。ここで、定義ファイルは、ＰＣ３２Ａ（機器３２）のＯＳ基本機能に搭載されており、ホスト定義ファイル（テーブルファイル）とＤＮＳとが記載されている。
【０１２６】
本実施例では、ＰＣ３２Ａ（機器３２）のＯＳに、パッチファイルなどのソフトウェアをインストールすることで、ＯＳ基本機能を利用し、ホスト定義ファイル（テーブルファイル）に、リモートホスト保持部機能３２６および情報機器ＩＰアドレス保持部機能３２７で保持された特定のリモートホスト名および情報機器１１のＩＰアドレスを、定義ファイル３２５Ａのホスト定義ファイル（判定用のテーブルファイル）に、書き込ませる。
【０１２７】
それにより、ＩＰアドレス応答部機能３２４Ａは、定義ファイル３２５Ａを参照することで、一のリモートホスト名とホスト定義ファイルの記載の特定リモートホスト名の一とが一致する場合に、一のリモートホストを示すＩＰアドレスに代えて情報機器１１のＩＰアドレスを機器１２に応答することができるようになる。
【０１２８】
［効果等］
本実施の形態によれば、ユーザは、機器３２のブラウザを通常通りに利用することで、ユーザの追加操作なく、機器３２が情報機器１１を利用するユーザと機器３２のブラウザを利用するユーザとが同一であることを対応づけることができる。
【０１２９】
具体的には、本実施の形態の情報機器特定システムは、前記情報機器特定システムは、前記機器を備え、前記機器は、前記受付部、前記判定部、および前記ＩＰアドレス応答部を有する。
【０１３０】
この構成により、ログイン等のユーザの追加操作なく、同一のユーザを対応づけることができる。
【０１３１】
以上のように、本実施の形態では、ログイン等のユーザの追加操作なく、同一のユーザを対応づけることができる情報機器特定システム、情報機器特定方法、情報機器およびプログラムを実現することができる。
【０１３２】
（実施の形態４）
実施の形態４では、機器４２がＤＮＳスプーラの機能ではなく、情報機器１１が有する機器ＩＤ応答部の機能等を備える場合の例について説明する。なお、実施の形態１〜実施の形態３と同様の部分は説明を省略し、異なる点を中心に説明する。
【０１３３】
図１５は、実施の形態４における情報機器特定システムの構成の一例を示す図である。なお、図４、図５および図７と同様の要素には同一の符号を付しており、詳細な説明は省略する。また、図１５に示す情報機器特定システムでは、ＳＴＢ１１Ａ等の情報機器１１を備えず、情報機器１１の機能を機器４２で実現する場合の例を示している。
【０１３４】
［機器の構成］
本実施の形態では、機器４２は、スマートフォンなどユーザがアプリケーションを後付で自由にインストールすることができる機器である。以下では、機器４２が情報機器１１の機能をアプリケーションで実現する場合の例について説明する。
【０１３５】
図１５に示す機器４２には、ブラウザアプリ４２１と、アプリケーション４２２とがインストールされている。
【０１３６】
ブラウザアプリ４２１は、実施の形態１等で説明したブラウザのアプリケーションであり、このブラウザアプリ４２１が機能することでユーザ２は機器４２のブラウザを利用することができる。
【０１３７】
アプリケーション４２２は、ブラウザアプリ４２１とは異なるアプリケーションであり、情報機器１１の有する機器ＩＤ応答部の機能等を実現するソフトウェアである。
【０１３８】
アプリケーション４２２は、特定の用途のために利用されるアプリケーションである。アプリケーション４２２は、機器ＩＤ応答部機能４２４を含み、リダイレクトＵＲＬ４２３と、ユーザセッションｋｅｙ４２５Ａと、ユーザＩＤ／ｐｗ４２５Ｂと、アプリケーションＩＤ４２５Ｃとを保持する。
【０１３９】
具体的には、機器ＩＤ応答部機能４２４は、実施の形態１における機器ＩＤ応答部１１１の機能を発揮する機能部である。この機能の詳細については、実施の形態１で説明した通りであるため、説明を省略する。
【０１４０】
リダイレクトＵＲＬ４２３は、実施の形態１におけるリダイレクトＵＲＬ保持部１１３が保持するリダイレクトＵＲＬに対応し、アプリケーション４２２により保持されている。  
【０１４１】
ここで、アプリケーションＩＤ４２５Ｃは、実施の形態１における情報機器ＩＤ保持部１１２が保持する情報機器ＩＤに対応する。なお、ユーザＩＤ／ｐｗ４２５Ｂは一例であり、ユーザを識別する情報であればよい。また、ユーザセッションｋｅｙ４２５Ａ、ユーザＩＤ／ｐｗ４２５Ｂ、およびアプリケーションＩＤ４２５Ｃを含む情報を、実施の形態１における情報機器ＩＤ保持部１１２が保持する情報機器ＩＤに対応するとしてもよい。  
【０１４２】
この場合、ネットワーク情報装置１０のＩＰアドレス応答部１０３では、判定部１０４により一のリモートホスト名（管理サーバから取得されるホスト名）と特定リモートホスト名の一とが一致すると判定された場合に、一のリモートホストを示すＩＰアドレスに代えてアプリケーション４２２をアクセスする命令となるＩＰアドレス（１２７．０．０．１）を機器４２のブラウザアプリ４２１に応答する。
【０１４３】
機器ＩＤ応答部機能４２４は、ブラウザアプリ４２１に、ネットワーク情報装置１０のＩＰアドレス応答部１０３の応答したＩＰアドレス（１２７．０．０．１）を用いて、上記一のリモートホストに対してデータを取得する要求を行わせることにより、所定のリダイレクト先（リダイレクトＵＲＬ４２３）への接続を指示する情報とアプリケーション４２２を一意に特定する特定情報（アプリケーションＩＤ４２５Ｃ）、ユーザセッションｋｅｙ４２５ＡおよびユーザＩＤ／ｐｗ４２５Ｂを含む情報とブラウザアプリ４２１に応答する。
【０１４４】
［効果等］
本実施の形態では、実施の形態１における機器１２および情報機器１１がそれぞれ、機器４２のブラウザアプリ４２１およびアプリケーション４２２に対応するとしている。これは、スマートフォンなどの機器４２において異なるアプリケーションは独立に動作するため、このような対応付けを行うことができるからである。
【０１４５】
換言すると、機器４２において、情報機器１１の特定情報に対応するものが自身（機器４２）のアプリケーション４２２の識別ＩＤ（アプリケーションＩＤ４２５Ｃ）であってもよい。この場合、機器４２は、ローカルＩＰアドレスを用いて同一ネットワークにあるネットワーク情報装置１０を介してＷｅｂサイトにアクセスを行うブラウザアプリ４２１と、アプリケーション４２２のアプリケーションＩＤ４２５ＣとリダイレクトＵＲＬ４２３とを変換してブラウザアプリ４２１に応答（ＷＷＷ応答）を行うアプリケーション４２２の機器ＩＤ応答部機能４２４を有する。
【０１４６】
それにより、機器４２のユーザは、機器４２のブラウザアプリ４２１を通常通りに利用することで、ユーザの追加操作なく、機器４２にインストールされたアプリケーション４２２のユーザと、機器４２のブラウザアプリ４２１を利用するユーザとが同一であることを対応づけることができる。
【０１４７】
したがって、本実施の形態によれば、ユーザの追加操作なく、同一のユーザを対応づけることができる情報機器特定システム、情報機器特定方法、情報機器およびプログラムを実現することができる。
【０１４８】
（他の実施の形態）
以上のように、本開示における技術の例示として、実施の形態１〜４を説明した。そのために、添付図面および詳細な説明を提供した。
【０１４９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１５０】
また、上述の実施の形態は、本開示における技術を例示するためのものであるから、請求の範囲またはその均等の範囲において種々の変更、置き換え、付加、省略などを行うことができる。つまり、本開示における技術は、これに限定されず、適宜、変更、置き換え、付加、省略などを行った実施の形態にも適用可能である。また、上記実施の形態１〜３で説明した各構成要素を組み合わせて、新たな実施の形態とすることも可能である。
【０１５１】
また、以下のような場合も本開示に含まれる。
【０１５２】
例えば実施の形態１〜４では、情報機器と、ネットワーク情報装置と、機器とが同一ネットワークのセグメントにあるとして説明したがそれに限らない。以下その場合の例について図を用いて説明する。
【０１５３】
図１６は、情報機器と、ネットワーク情報装置と、機器とが同一ネットワークのセグメントにある場合の例を示す図である。図１７および図１８は、情報機器と、ネットワーク情報装置と、機器とが異なるネットワークのセグメントにある場合の例を示す図である。  
【０１５４】
図１６は、実施の形態１〜４に示す配置パターンに相当し、同一のルータ１３の配下に機器１２と情報機器１１とが接続される場合を示している。すなわち、情報機器１１と機器１２とは、ルータ１３の配下で同一のネットワークセグメントに物理的もしくは仮想的に接続されている場合を示している。
【０１５５】
それに対して図１７は、情報機器１１と機器１２とが、ルータ１３を経由して異なるネットワークセグメントに物理的もしくは仮想的に接続されている場合を示している。この場合でも、ルータ１３に所定の設定を施すことで、情報機器１１が機器１２からのアクセス要求（データ取得要求等を含む）を受信することができるので本開示に含まれる。
【０１５６】
また、図１８は、情報機器１１と機器１２とが、多段のルータ１３Ａおよびルータ１３Ｂを経由して異なるネットワークセグメントに物理的もしくは仮想的に接続されている場合を示している。この場合でも、ルータ１３に所定の設定を施すことで、情報機器１１が機器１２からのアクセス要求（データ取得要求等を含む）を受信することができるので本開示に含まれる。
【産業上の利用可能性】
【０１５７】
本開示は、情報機器特定システム、情報機器特定方法、情報機器およびプログラムに利用でき、特に、ユーザの追加操作なく異なるメディアにおけるユーザの対応付けを行う情報機器特定システム、情報機器特定方法、情報機器およびプログラムに利用できる。
【符号の説明】
【０１５８】
１    宅内
２、２Ａ、２Ｂ    ユーザ
３    インターネット
５    管理サーバ
６    Ｗｅｂサーバ
７    サイト
８    ＤＮＳサーバ
１０、２０    ネットワーク情報装置
１０Ａ    モデム
１１    情報機器
１１Ａ、９１    ＳＴＢ
１２、３２、４２、９２    機器
１２Ａ、９２Ａ    スマートフォン
１２Ｂ、３２Ａ    ＰＣ
１２Ｃ、９２Ｃ    ＴＶ
１３、１３Ａ、１３Ｂ    ルータ
２４    サーバ
１０１    ＤＮＳスプーラ
１０２    受付部
１０３    ＩＰアドレス応答部
１０４    判定部
１０５    リモートホスト保持部
１０６    情報機器ＩＰアドレス保持部
１０７、２０７    取得部
１０８、１１４、２４１    通信部
１０９    応答判定部
１１１    機器ＩＤ応答部
１１２    情報機器ＩＤ保持部
１１３    リダイレクトＵＲＬ保持部
３２１    本来機能部
３２２、３２２Ａ    ＤＮＳスプーラ機能
３２３、３２３Ａ    受付部機能
３２４、３２４Ａ    ＩＰアドレス応答部機能
３２５    判定部機能
３２５Ａ    定義ファイル
３２６    リモートホスト保持部機能
３２７  情報機器ＩＰアドレス保持部機能
４２１    ブラウザアプリ
４２２    アプリケーション
４２３    リダイレクトＵＲＬ
４２４  機器ＩＤ応答部機能
４２５Ａ    ユーザセッションｋｅｙ
４２５Ｂ    ユーザＩＤ／ｐｗ
４２５Ｃ    アプリケーションＩＤ
８０１、９０１、９０３    ブラウザ
８０２、８０３、８０４    領域
８０５    ゲストページ
８０６Ａ、９０１Ａ、９０３Ａ、９０５Ａ    アクセスログ
８０６Ｂ、８０８Ｂ    プロファイル
８０７    ログインページ
８０８    会員専用ページ
９０５  ＴＶポータル
９０５Ｂ    視聴履歴
１０７１    リモートホスト取得部
１０７２    ＩＰアドレス取得部
【図１】
2015136582.tif 000003
【図２】
2015136582.tif 000004
【図３】
2015136582.tif 000005
【図４】
2015136582.tif 000006
【図５】
2015136582.tif 000007
【図６】
2015136582.tif 000008
【図７】
2015136582.tif 000009
【図８】
2015136582.tif 000010
【図９】
2015136582.tif 000011
【図１０】
2015136582.tif 000012
【図１１】
2015136582.tif 000013
【図１２】
2015136582.tif 000014
【図１３】
2015136582.tif 000015
【図１４】
2015136582.tif 000016
【図１５】
2015136582.tif 000017
【図１６】
2015136582.tif 000018
【図１７】
2015136582.tif 000019
【図１８】
2015136582.tif 000020
【手続補正書】
【提出日】平成28年6月28日(2016.6.28)
【手続補正１】
【補正対象書類名】明細書
【補正対象項目名】全文
【補正方法】変更
【補正の内容】
【発明の詳細な説明】
【技術分野】
【０００１】
本開示は、情報機器特定システム、情報機器特定方法、情報機器およびプログラムに関する。
【背景技術】
【０００２】
Ｗｅｂ広告事業者は、Ｗｅｂページにアクセスしたユーザに対して、ユーザの関心事項や選考事項に適するターゲット広告等の情報提示を行うべくターゲティングを行っている。Ｗｅｂ広告事業者は、クッキーとよばれるブラウザに発行した識別ＩＤを用いてユーザを追跡し、ユーザの関心事項や選考事項に関するプロファイルを作成する。
【０００３】
昨今では、ユーザに対してより最適な情報提供を行うため、ユーザの関心事項や選考事項をより多く収集することが求められている。しかし、あるＷｅｂページで関心事項や選考事項を収集したユーザと他のＷｅｂページで関心事項や選考事項を収集したユーザとが同一のユーザであるかどうかは容易にはわからない。
【０００４】
それに対して、例えば特許文献１には、第一のメディアでユーザの行動履歴を収集し、第二のメディアにログインした際に特定されたユーザ識別情報を元に、同一ユーザを対応付ける技術が提案されている。
【先行技術文献】
【特許文献】
【０００５】
【特許文献１】特開２０１２−１３３７８０号公報
【発明の概要】
【発明が解決しようとする課題】
【０００６】
本開示は、ログイン等のユーザの追加操作なく、同一のユーザを対応づけることができる情報機器特定システム、情報機器特定方法、情報機器およびプログラムを提供することを目的とする。
【課題を解決するための手段】
【０００７】
本開示の一態様に係る情報機器特定システムは、所定のリモートホストを示す特定リモートホスト名を保持するリモートホスト保持部と、機器が一のリモートホストに接続するための前記一のリモートホストを示す一のリモートホスト名に対応するＩＰ（Internet Protocol）アドレスの問い合わせを受付ける受付部と、前記受付部により受付けられた前記一のリモートホスト名が、前記リモートホスト保持部により保持されている特定リモートホスト名に一致するか否かを判定する判定部と、前記判定部により前記一のリモートホスト名と前記特定リモートホスト名の一とが一致すると判定された場合に、前記一のリモートホストを示すＩＰアドレスに代えて情報機器のＩＰアドレスを前記機器に応答するＩＰアドレス応答部と、前記機器に、前記ＩＰアドレス応答部の応答した前記情報機器のＩＰアドレスを用いて、前記一のリモートホストに対してデータを取得する要求を行わせることにより、所定のリダイレクト先への接続を指示する情報と前記情報機器を一意に特定する特定情報（機器ＩＤ）とを含むデータを前記機器に応答する機器ＩＤ応答部と、を備える。
【発明の効果】
【０００８】
本開示によれば、ログイン等のユーザの追加操作なく、同一のユーザを対応づけることができる情報機器特定システム、情報機器特定方法、情報機器およびプログラムを提供することができる。
【図面の簡単な説明】
【０００９】
【図１】図１は、ユーザが視聴するブラウザにターゲティング情報が提示される様子を示す図である。
【図２】図２は、異なるメディア間における同一ユーザを対応付ける従来技術を説明するための図である。
【図３】図３は、従来技術の課題を説明するための図である。
【図４】図４は、実施の形態１における情報機器特定システムの概略構成の一例を示す図である。
【図５】図５は、実施の形態１におけるネットワーク情報装置の構成の一例を示すブロック図である。
【図６】図６は、図５に示す取得部の詳細構成の一例を示すブロック図である。
【図７】図７は、実施の形態１における情報機器の構成の一例を示すブロック図である。
【図８】図８は、実施の形態１における情報機器特定システムの通信シーケンスの一例を示す図である。
【図９】図９は、図８に示す通信シーケンスを別の表現で示した図である。
【図１０】図１０は、実施の形態１における情報機器特定システムの通信シーケンスの一例を示す図である。
【図１１】図１１は、実施の形態１における機器特定システムによる効果を概念的に示す図である。
【図１２】図１２は、実施の形態２における情報機器特定システムの構成の一例を示す図である。
【図１３】図１３は、実施の形態３における情報機器特定システムの構成の一例を示す図である。
【図１４】図１４は、実施の形態３におけるＤＮＳスプーラ機能をソフトウェアで実現する場合の構成の一例を示す図である。
【図１５】図１５は、実施の形態４における情報機器特定システムの構成の一例を示す図である。
【図１６】図１６は、本開示における情報機器と、ネットワーク情報装置と、機器とが同一ネットワークのセグメントにある場合の例を示す図である。
【図１７】図１７は、本開示における情報機器と、ネットワーク情報装置と、機器とが異なるネットワークのセグメントにある場合の例を示す図である。
【図１８】図１８は、本開示における情報機器と、ネットワーク情報装置と、機器とが異なるネットワークのセグメントにある場合の例を示す図である。
【発明を実施するための形態】
【００１０】
（本発明の基礎となった知見）
図１は、ユーザが視聴するブラウザにターゲティング情報が提示される様子を示す図である。
【００１１】
ユーザは、例えばＰＣなどユーザが利用するユーザ端末でブラウザ８０１を起動する。すると、ブラウザ８０１のユーザがアクセスしたコンテンツを示す領域８０２以外の領域８０３に例えばお薦め商品が提示され、領域８０４に広告が提示される。ここで、領域８０４に提示される広告は、例えばＷｅｂ広告事業者により提供されたユーザの関心事項や選考事項に適するターゲット広告である。Ｗｅｂ広告事業者は、クッキーとよばれるブラウザに発行した識別ＩＤを用いてユーザを追跡し、ユーザの関心事項や選考事項に関するプロファイルを作成する。そして、Ｗｅｂ広告事業者は、作成したプロファイルを用いてユーザの関心事項や選考事項に適するターゲット広告を提供する。
【００１２】
図２は、異なるメディア間における同一ユーザを対応付ける従来技術を説明するための図である。
【００１３】
まず、ユーザ２は、スマートフォン９２Ａなどのユーザ端末(機器９２）のブラウザを利用してＷｅｂサイトのゲストページ８０５にアクセスしたとする。そして、ユーザ２は例えば、Ｗｅｂサイトの車に関するページ、服に関するページ、子供に関するページにアクセスし、クッキーとよばれるブラウザに発行された識別ＩＤはcookie_guest001であるとする。このような場合、ユーザＤＢには、cookie_guest001の識別ＩＤでまとめられたアクセスログ８０６Ａがcookie_guest001の識別ＩＤのプロファイル８０６Ｂとして記憶される。
【００１４】
次に、ユーザ２は、このＷｅｂサイトのログインページ８０７に例えばａａａのユーザＩＤと、所定のパスワードとを入力してログインすると、ログイン後の会員専用ページ８０８がユーザ端末(機器９２）のブラウザに表示される。この場合、ログインした際に特定されたａａａのユーザＩＤとcookie_guest001の識別ＩＤとが同一ユーザであるとして対応付けられる。それにより、ユーザＤＢには、ａａａのユーザＩＤにcookie_guest001の識別ＩＤでまとめられたアクセスログ８０６ＡがａａａのユーザＩＤのプロファイル８０８Ｂとして記憶される。
【００１５】
このようにして、異なるメディア間に対応する異なるＷｅｂページ（ゲストページ８０５、ログイン後の会員専用ページ８０８）の同一ユーザを対応付けることができる。
【００１６】
図３は、従来技術の課題を説明するための図である。
【００１７】
ユーザ２は、スマートフォン９２Ａや、ＰＣ９２Ｂ、Ｗｅｂにアクセス可能なスマートテレビであるＴＶ９２Ｃなどの機器９２を利用してＷＥＢページにアクセスすることができる。また、ユーザ２は、ＳＴＢ（Set Top Box）９１などの情報機器を利用して、Ｗｅｂページにアクセスしたり、提供される番組視聴を行ったりすることができる。
【００１８】
図３では、例えばスマートフォン９２Ａのブラウザ９０１を利用してオンラインショップＡのサイトにアクセスして買い物等を行う場合が示されている。この場合には、ブラウザ９０１でのアクセスログ９０１Ａが、オンラインショップＡのユーザＤＢ９０２に記録される。また、例えばＰＣ９２Ｂのブラウザ９０３を利用してオンラインショップＢのサイトにアクセスして買い物等を行う場合には、ブラウザ９０３でのアクセスログ９０３Ａが、オンラインショップＢのユーザＤＢ９０４に記録される。
【００１９】
同様に、ＴＶ９２ＣやＳＴＢ９１のポータル画面であるＴＶポータル９０５でＷｅｂページにアクセスまたは番組視聴を行った場合には、ＴＶポータル９０５でのアクセスログ９０５Ａまたは視聴履歴９０５Ｂが、ＴＶポータル９０５のユーザＤＢ９０６に記録される。
【００２０】
しかしながら、オンラインショップＡをアクセスしたユーザ２とオンラインショップＢをアクセスしたユーザ２とが同一のユーザであるかどうかは、図２で説明した方法では紐付けできない。同様に、オンラインショップＡをアクセスしたユーザ２とＴＶポータル９０５を利用したユーザ２とが同一のユーザであるかどうかは、図２で説明した方法では紐付けできない。そのため、ユーザ２自身に同一ユーザを対応付ける登録作業を行ってもらう等の追加操作が必要となってしまう。
【００２１】
また、特許文献１に記載の方法では、同一ユーザを対応付ける識別情報にＩＰアドレス、サービスユーザＩＤ、ＭＡＣアドレス、住民登録番号を用いる場合が示されているが、いずれの場合でもログイン等のユーザの追加操作を行うことが必要となる。
【００２２】
このように、従来技術では、異なるメディア間での同一のユーザの対応づけには、ログイン等のユーザの追加操作が必要であり、ユーザにとって煩雑であるという問題がある。
【００２３】
ユーザが普段行わない作業（追加操作）が発生すると、ユーザに追加操作をしてもらえない可能性も高く、異なるメディア間のユーザの紐付け率が低下してしまうことが十分に考えられる。この場合、ユーザの関心事項や選考事項をより多く収集しても活用できない。つまり、異なるメディア間のユーザの紐付けのためにユーザが普段行わない作業（追加操作）を発生させてしまう場合には、ユーザに対してより最適な情報提供を行うことができないという問題も生じる。
【００２４】
また、同一ユーザを対応付ける識別情報にＩＰアドレスを利用する場合には、ＩＰアドレスは変動しやすく異なるメディア間のユーザの紐付けの正確性に問題がある。また、同一ユーザを対応付ける識別情報にＭＡＣアドレスを利用する場合には、外部のＷｅｂサーバに通常のブラウザ経由で情報伝達ができないという問題がある。
【００２５】
そこで、本発明の一態様は、かかる問題に鑑みてなされたものであって、ログイン等のユーザの追加操作なく、同一のユーザを対応づけることができる情報機器特定システム、情報機器特定方法、情報機器およびプログラムを提供することを目的とする。
【００２６】
以下、適宜図面を参照しながら、本発明の実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２７】
なお、発明者（ら）は、当業者が本開示を十分に理解するために添付図面および以下の説明を提供するのであって、これらによって請求の範囲に記載の主題を限定することを意図するものではない。
【００２８】
（実施の形態１）
［全体構成］
図４は、実施の形態１における情報機器特定システムの概略構成の一例を示す図である。
【００２９】
図４に示す宅内１には、情報機器１１の一例であるＳＴＢ１１Ａと、機器１２の一例であるスマートフォン１２Ａ、ＰＣ１２ＢおよびＴＶ１２Ｃとがルータ１３を介して、ネットワーク情報装置１０の一例であるモデム１０Ａに接続されている。
【００３０】
モデム１０Ａは、情報機器１１または機器１２を、たとえばインターネット３など宅内１の外部にあるネットワークに接続するためのネットワーク情報装置１０の一例である。
【００３１】
ここで、本実施の形態の情報機器特定システムは、ネットワーク情報装置１０と情報機器１１とを備えるとしてもよいし、ネットワーク情報装置１０と情報機器１１と機器１２とを備えるとしてもよい。以下では、情報機器特定システムがネットワーク情報装置１０と情報機器１１とを備える場合について説明する。
【００３２】
［ネットワーク情報装置の構成］
次に、ネットワーク情報装置１０の構成について説明する。
【００３３】
図５は、実施の形態１におけるネットワーク情報装置の構成の一例を示すブロック図である。図６は、図５に示す取得部の詳細構成の一例を示すブロック図である。
【００３４】
図５に示すネットワーク情報装置１０は、ＤＮＳスプーラ１０１と、リモートホスト保持部１０５と、情報機器ＩＰアドレス保持部１０６と、取得部１０７と、通信部１０８と、応答判定部１０９とを備える。
【００３５】
リモートホスト保持部１０５は、所定のリモートホストを示す特定リモートホスト名を保持する。
【００３６】
ＤＮＳスプーラ１０１は、受付部１０２、ＩＰアドレス応答部１０３および判定部１０４を有し、一のリモートホスト名に対応するＩＰ（Internet Protocol）アドレスの問い合わせを受け付けて応答する。
【００３７】
受付部１０２は、機器が一のリモートホストに接続するための前記一のリモートホストを示す一のリモートホスト名に対応するＩＰアドレスの問い合わせを受付ける。
【００３８】
判定部１０４は、受付部１０２により受付けられた一のリモートホスト名が、リモートホスト保持部１０５により保持されている特定リモートホスト名に一致するか否かを判定する。
【００３９】
ＩＰアドレス応答部１０３は、判定部１０４により一のリモートホスト名と特定リモートホスト名の一とが一致すると判定された場合に、一のリモートホストを示すＩＰアドレスに代えて情報機器１１のＩＰアドレスを機器１２に応答する。ＩＰアドレス応答部１０３は、判定部１０４により一のリモートホスト名と特定リモートホスト名の一とが一致しないと判定された場合には、一のリモートホストを示すＩＰアドレスを機器１２に応答する。
【００４０】
情報機器ＩＰアドレス保持部１０６は、取得部１０７により取得された情報機器１１のＩＰアドレスを保持する。
【００４１】
取得部１０７は、図６に示すようにリモートホスト取得部１０７１と、ＩＰアドレス取得部１０７２とを備える。リモートホスト取得部１０７１は、所定のリモートホストを示す特定リモートホスト名を取得する。ＩＰアドレス取得部１０７２は、情報機器１１のＩＰアドレスを取得する。
【００４２】
通信部１０８は、インターネット３など宅内１の外部にあるネットワークに接続され、インターネット３上のＤＮＳサーバや管理サーバ等と通信する。また、通信部１０８は、情報機器１１または機器１２を、インターネット３など宅内１の外部にあるネットワークに接続する。
【００４３】
応答判定部１０９は、後述する情報機器１１が有する機器ＩＤ応答部１１１が応答できる状態であるか否かを判定する。
【００４４】
具体的には、応答判定部１０９は、機器ＩＤ応答部１１１が応答できない状態であると判定した場合、一のリモートホスト名に対応するＩＰアドレスの問い合わせを、通信部１０８を介して、情報機器特定システムの外部のＤＮＳサーバに送信する。一方、応答判定部１０９は、機器ＩＤ応答部１１１が応答できる状態であると判定した場合、一のリモートホスト名に対応するＩＰアドレスの問い合わせを、ＤＮＳスプーラ１０１（受付部１０２）に送信する。
【００４５】
ここで、例えば、応答判定部１０９は、情報機器１１の電源が投入されていないとき、機器ＩＤ応答部１１１が応答できない状態であると判定し、情報機器１１の電源が投入されているとき、機器ＩＤ応答部１１１が応答できる状態であると判定するとしてもよい。
【００４６】
なお、ネットワーク情報装置１０は、情報機器ＩＰアドレス保持部１０６を有していないとしてもよい。この場合には、ネットワーク情報装置１０は、ＩＰアドレス応答部１０３が情報機器１１のＩＰアドレスを機器１２に応答するまでの間に、ネットワーク情報装置１０が接続するネットワークを探索し、取得すればよい。
【００４７】
［情報機器の構成］
次に、情報機器１１の構成について説明する。
【００４８】
図７は、実施の形態１における情報機器の構成の一例を示すブロック図である。
【００４９】
図７に示す情報機器１１は、機器ＩＤ応答部１１１と、情報機器ＩＤ保持部１１２と、リダイレクトＵＲＬ保持部１１３と、通信部１１４とを備える。
【００５０】
機器ＩＤ応答部１１１は、機器１２に、ＩＰアドレス応答部１０３の応答した情報機器１１のＩＰアドレスを用いて、上記一のリモートホストに対してデータを取得する要求を行わせることにより、所定のリダイレクト先への接続を指示する情報と情報機器１１を一意に特定する特定情報（機器ＩＤ）とを含むデータを機器１２に応答する。
【００５１】
情報機器ＩＤ保持部１１２は、情報機器１１を一意に特定する特定情報を保持する。ここで、例えば特定情報とは、情報機器１１のＩＤ（機器ＩＤ）である。
【００５２】
リダイレクトＵＲＬ保持部１１３は、所定のリダイレクト先のＵＲＬ（リダイレクトＵＲＬとも記載）を保持する。ここで、リダイレクトは、Ｗｅｂ上で、あるＵＲＬから他のＵＲＬに転送させることを意味し、リダイレクトＵＲＬは、Ｗｅｂ上で、転送させるＵＲＬを意味する。
【００５３】
通信部１１４は、情報機器１１または機器１２と通信する機能を有する。例えば通信部１１４は、機器１２が情報機器１１のＩＰアドレスにアクセスしてきた場合には、機器ＩＤ応答部１１１と機器１２とを接続する。また、例えば通信部１１４は、ネットワーク情報装置１０の通信部１０８を介して取得部１０７に情報機器１１のＩＰアドレスを定期的に通知したり、取得部１０７の問い合わせ（探索）を受けて情報機器１１のＩＰアドレスを応答したりする。
【００５４】
なお、情報機器１１は、リダイレクトＵＲＬ保持部１１３を有していないとしてもよい。この場合、情報機器１１は、機器ＩＤ応答部１１１が所定のリダイレクト先への接続を指示する情報を作成するまでの間（リダイレクト転送命令作成時）に、通信部１１４を介して外部ネットワークに接続するサーバにアクセスして取得するとしてもよい。
【００５５】
［情報機器特定システムの通信シーケンス］
次に、以上のように構成される情報機器特定システムの通信シーケンスについて説明する。
【００５６】
図８は、実施の形態１における情報機器特定システムの通信シーケンスの一例を示す図である。図９は、図８に示す通信シーケンスの別の表現で示した図である。図９では、情報機器１１の一例としてＳＴＢ１１Ａが示されており、機器１２とユーザ２の一例として、スマートフォン１２Ａを利用するユーザ２ＡとＰＣ１２Ｂを利用するユーザ２Ｂが示されている。なお、図８と同様の要素には同一の符号を付している。図９は、図８を直感的に把握できるように別の表現で示したものである。
【００５７】
本実施の形態１における情報機器特定システムは、ユーザ２がスマートフォン１２ＡやＰＣ１２Ｂなどの機器１２を用いてＷｅｂサイトにアクセスする前に事前処理を行っている。以下、事前処理について説明する。
【００５８】
まず、ネットワーク情報装置１０は、電源ＯＮされると（Ｓ２０１）、ネットワーク情報装置１０が属するローカルネットワーク（ＬＡＮ）の外部のワイドネットワーク（例えばインターネット３）に接続されている管理サーバ５にアクセスし、所定のリモートホストを示す特定リモートホスト名のリスト（最新のリスト）を取得する（Ｓ２０２）。本実施の形態では所定のリモートホストを示す特定リモートホスト名として、例えばcookie.sync.comを取得する。
【００５９】
次に、ネットワーク情報装置１０は、例えばＳＴＢ１１Ａなどの情報機器１１の状態を確認する（Ｓ２０３）。本実施の形態では、ネットワーク情報装置１０は、ＩＣＭＰ（Internet Control Message Protocol）を用いて、情報機器１１を発見し、ＳＮＭＰ（Simple Network Management Protocol）で情報機器１１に対して情報取得要求を行う。情報機器１１は、電源が投入されているなど機器ＩＤ応答部１１１が応答できる状態である場合に、生存応答としてＩＰアドレス（ここでは例えば192.168.0.100）をネットワーク情報装置１０に返信する。このようにして、ネットワーク情報装置１０は、情報機器１１のＩＰアドレスを取得して保存することができる。
【００６０】
そして、情報機器１１は、ネットワーク情報装置１０を介して管理サーバ５にアクセスし、所定のリダイレクトＵＲＬを取得する（Ｓ２０４）。本実施の形態では所定のリダイレクトＵＲＬとして、例えばＵＲＬ「http://ad.server.com/get/」を取得する。
【００６１】
続いて、以上のように事前処理を行った情報機器特定システムにおいて、ユーザ２がスマートフォン１２ＡやＰＣ１２Ｂなどの機器１２を用いてＷｅｂサイトにアクセスする場合について説明する。
【００６２】
まず、ユーザ２は、機器１２の例えばブラウザを利用してＷｅｂサイトにアクセスする（Ｓ２０５）。
【００６３】
すると、機器１２のブラウザは、アクセスしたＷｅｂサイトと共にＷｅｂサイトの広告枠に提供される広告を表示する（Ｓ２０６）。
【００６４】
本実施の形態では、機器１２のブラウザは、ネットワーク情報装置１０を介してＷｅｂサーバ６にアクセスするとともに、Ｗｅｂサイトの広告枠に提供される広告を表示する。この広告枠には「Cookies syncタグ」が埋め込まれている。ここで、「Cookies syncタグ」とはＷｅｂサイトを記述するＨＴＭＬ（Hyper Text Markup Language）において、画像データの取得要求を行う際に記述するタグであり、他ドメインにおけるＷｅｂサイトの画像ＵＲＬを記述することによりクッキーの値を他ドメインに渡すことを目的としたタグの呼称である。
【００６５】
また、機器１２のブラウザは、Ｗｅｂサイトの広告枠に提供される広告を表示する際には、広告枠に埋め込まれている「Cookies syncタグ」にアクセスする（Ｓ２０７）。そして、機器１２のブラウザは、「Cookies syncタグ」の応答、すなわち「Cookies syncタグ」が指定する画像タグを表示する命令の応答（Ｓ２０８）により、リモートホストデータ取得要求命令を受け付ける。本実施の形態では、機器１２のブラウザは、リモートホストデータ「http://cookie.sync.com/img/blank.gif」を取得する命令を受け付ける。
【００６６】
次に、機器１２のブラウザは、ネットワーク情報装置１０に、リモートホスト名をＩＰアドレスに変換する要求（ＤＮＳ問い合わせ）を行う（Ｓ２０９）。
【００６７】
より具体的には、機器１２のブラウザは、まず、リモートホスト名「cookie.sync.com」のＩＰアドレスをリクエストするＤＮＳリクエストをネットワーク情報装置１０に行う。すると、機器１２のブラウザは、ネットワーク情報装置１０からは、リモートホスト名「cookie.sync.com」のＩＰアドレスではなく、情報機器１１のＩＰアドレス「192.168.0.100」をＤＮＳレスポンスとして取得する。
【００６８】
次に、機器１２は、リモートホスト名「cookie.sync.com」のＩＰアドレスを取得したとして、取得したＩＰアドレスにアクセスしてＷＷＷデータ（ここでは画像タグのデータ）を取得しようとする（Ｓ２１０）。
【００６９】
より具体的には、機器１２のブラウザは、リモートホスト名「cookie.sync.com」のＩＰアドレスを取得したとして、情報機器１１のＩＰアドレスにアクセスしてＷＷＷデータ（ここでは画像タグのデータ）を要求する。本実施の形態では、機器１２のブラウザは、「http://192.168.0.100/img/blank.gif」にアクセスしてＷＷＷデータを要求する。
【００７０】
すると、情報機器１１は、ＷＷＷデータではなく、リダイレクト命令の応答を生成して（Ｓ２１１）、情報機器１１の機器ＩＤ（特定情報）と、所定のリダイレクト先（所定のリダイレクトＵＲＬ）への接続を命令する情報とを含む応答を機器１２のブラウザに対して行う。
【００７１】
次に、機器１２のブラウザは、リダイレクト命令に従い、リダイレクト先（リダイレクトＵＲＬ）のサイト７に対してＷＷＷデータ（画像タグのデータ）を取得するためアクセスする（Ｓ２１０）。本実施の形態では、機器１２のブラウザは、リダイレクト命令に従い、リダイレクト先（リダイレクトＵＲＬ）にアクセスする際には、情報機器１１の機器ＩＤ（特定情報）と、所定のリダイレクト先（所定のリダイレクトＵＲＬ）の情報とを含めたデータ（http://ad.server.com/get/?stb=xxx）とともに、機器１２のブラウザのＣｏｏｋｉｅ  ＩＤ（Cookie: adserver_id=yyy）をリダイレクト先のサイト７に受け渡すことでアクセスする。
【００７２】
次に、リダイレクトＵＲＬのサイト７は、機器１２のブラウザから上記のパラメータを取得し、応答データ（例えば透明ＧＩＦ画像）を作成して返却する（Ｓ２１３）。
【００７３】
最後に、リダイレクトＵＲＬのサイト７を提供するサーバにおいて、サイト７で取得したパラメータ（stb=xxx、Cookie id=yyy）を紐付けして（Ｓ２１４）、処理を終了する。
【００７４】
このようにして、本実施の形態の情報機器特定システムでは、ログイン等のユーザの追加操作なく、情報機器１１のユーザと機器１２のユーザが同一であることを対応づけることができる。
【００７５】
なお、Ｓ２０８において、「Cookies syncタグ」により指定されたリモートホスト名が、ネットワーク情報装置１０のリモートホスト保持部１０５により保持されている特定リモートホスト名に一致しない場合には、ネットワーク情報装置１０は、リモートホスト名「cookie.sync.com」のＩＰアドレスをＤＮＳレスポンスとして取得する。
【００７６】
また、Ｓ２０９は、ユーザ２が機器１２をネットワーク情報装置１０と同一のローカルネットワーク（ＬＡＮ）内で利用している場合の例である。ユーザ２が機器１２をネットワーク情報装置１０とは異なるネットワーク（例えば宅外のインターネット）で利用している場合には、機器１２のブラウザは、ネットワーク情報装置１０ではなく、インターネット内のＤＮＳサーバにＤＮＳ問い合わせを行う。以下、図１０を用いてこの場合の例について説明する。
【００７７】
図１０は、実施の形態１における情報機器特定システムの通信シーケンスの一例を示す図である。
【００７８】
まず、ユーザ２は、機器１２の例えばブラウザを利用してＷｅｂサイトにアクセスする（Ｓ３０５）。
【００７９】
すると、機器１２のブラウザは、アクセスしたＷｅｂサイトと共にＷｅｂサイトの広告枠に提供される広告を表示する（Ｓ３０６）。
【００８０】
本実施の形態では、機器１２のブラウザは、ネットワーク情報装置１０を介してＷｅｂサーバ６にアクセスするとともに、Ｗｅｂサイトの広告枠に提供される広告を表示する。この広告枠にはCookies syncタグが埋め込まれている。
【００８１】
また、機器１２のブラウザは、Ｗｅｂサイトの広告枠に提供される広告を表示する際には、広告枠に埋め込まれている「Cookies syncタグ」にアクセスする（Ｓ３０７）。そして、機器１２のブラウザは、「Cookies syncタグ」の応答、すなわち「Cookies syncタグ」が指定する画像タグを表示する命令の応答（Ｓ３０８）により、リモートホストデータ取得要求命令を受け付ける（Ｓ３０９）。本実施の形態では、機器１２のブラウザは、リモートホストデータ「http://cookie.sync.com/img/blank.gif」を取得する命令を受け付ける。
【００８２】
次に、機器１２のブラウザは、ＤＮＳサーバ８に、リモートホスト名をＩＰアドレスに変換する要求（ＤＮＳ問い合わせ）を行う。より具体的には、機器１２のブラウザは、まず、リモートホスト名「cookie.sync.com」のＩＰアドレスをリクエストするＤＮＳリクエストをＤＮＳサーバ８に行う（Ｓ３１０）。すると、ＤＮＳサーバ８は、ホスト名ともとにＩＰアドレスを検索し、応答する（Ｓ３１１）。機器１２のブラウザは、ＤＮＳサーバ８から、リモートホスト名「cookie.sync.com」のＩＰアドレス「例えば210.***.211.5」をＤＮＳレスポンスとして取得する（Ｓ３１２）。
【００８３】
次に、機器１２は、リモートホスト名「cookie.sync.com」のＩＰアドレス「210.***.211.5」にＨＴＴＰアクセス(http:// 210.***.211.5/img/blank.gif)して（Ｓ３１３）、ＷＷＷデータ（ここでは画像タグのデータ）を取得する（Ｓ３１４）。
【００８４】
［効果等］
図１１は、実施の形態１における機器特定システムによる効果を概念的に示す図である。
【００８５】
本実施の形態によれば、例えば図１１に示すように、スマートフォン１２ＡやＰＣ１２Ｂ、ＴＶ１２Ｃなどの機器１２を利用しているユーザ２と、例えばＳＴＢ１１Ａなどの情報機器１１を利用しているユーザ２が同一であることを紐付ける（対応づける）ことができる。そして、この対応付けは、上述したように、ログイン等のユーザの追加操作なく、ユーザが通常行う操作（Ｗｅｂサイトへのアクセス、情報機器１１の視聴等）を行っているだけで実現することができる。
【００８６】
なお、図１１に示す例では、スマートフォン１２ＡやＰＣ１２Ｂ、ＴＶ１２Ｃなどの機器１２を利用するユーザ２のアクセスログと、例えばＳＴＢ１１Ａなどの情報機器１１を利用するユーザ２のユーザ情報とが紐付けされている例が示されている。図１１に示すアクセスログには、ユーザ２がアクセスしたＷｅｂサイトのカテゴリＡ：車、服、オークションに関するページ、カテゴリＢ：服、子供、教育に関するページ等々が示されている。また、ユーザ情報には、ユーザ２の氏名とＳＴＢ１１Ａなどの情報機器１１の特定情報（ＳＴＢＩＤ）とが登録されている。
【００８７】
なお、本実施の形態において、ネットワーク情報装置１０は、ＤＮＳスプーラ１０１と、リモートホスト保持部１０５と、情報機器ＩＰアドレス保持部１０６と、取得部１０７と、通信部１０８と、応答判定部１０９とを備えるとしたがそれに限らない。ネットワーク情報装置１０は、ＤＮＳスプーラ１０１と、リモートホスト保持部１０５とを少なくとも、備えれば、本実施の形態の効果を奏することができる。同様に、本実施の形態において、情報機器１１は、機器ＩＤ応答部１１１と、情報機器ＩＤ保持部１１２と、リダイレクトＵＲＬ保持部１１３と、通信部１１４とを備えるとしたがそれに限らない。情報機器１１は、機器ＩＤ応答部１１１を少なくとも、備えれば、本実施の形態の効果を奏することができる。また、ＤＮＳスプーラ１０１と、リモートホスト保持部１０５と、機器ＩＤ応答部１１１とは、ネットワーク情報装置１０や情報機器１１が備えるとしたが、それに限られず本実施の形態に係る情報機器特定システムが備えていればよい。
【００８８】
したがって、本実施の形態に係る情報機器特定システムは、所定のリモートホストを示す特定リモートホスト名を保持するリモートホスト保持部と、機器が一のリモートホストに接続するための前記一のリモートホストを示す一のリモートホスト名に対応するＩＰ（Internet Protocol）アドレスの問い合わせを受付ける受付部と、前記受付部により受付けられた前記一のリモートホスト名が、前記リモートホスト保持部により保持されている特定リモートホスト名に一致するか否かを判定する判定部と、前記判定部により前記一のリモートホスト名と前記特定リモートホスト名の一とが一致すると判定された場合に、前記一のリモートホストを示すＩＰアドレスに代えて情報機器のＩＰアドレスを前記機器に応答するＩＰアドレス応答部と、前記機器に、前記ＩＰアドレス応答部の応答した前記情報機器のＩＰアドレスを用いて、前記一のリモートホストに対してデータを取得する要求を行わせることにより、所定のリダイレクト先への接続を指示する情報と前記情報機器を一意に特定する特定情報（機器ＩＤ）とを含むデータを前記機器に応答する機器ＩＤ応答部と、を備える。
【００８９】
ここで、前記情報機器特定システムは、ネットワーク情報装置と前記情報機器とを備え、前記ネットワーク情報装置は、前記リモートホスト保持部、前記受付部、前記判定部、および、前記ＩＰアドレス応答部と、を有し、前記情報機器は、前記機器ＩＤ応答部を有するとしてもよい。
【００９０】
また、前記情報機器特定システムは、さらに、前記機器ＩＤ応答部が応答できる状態であるか否かを判定する応答判定部を備え、前記応答判定部は、前記機器ＩＤ応答部が応答できない状態であると判定した場合、前記一のリモートホスト名に対応するＩＰアドレスの問い合わせを、前記情報機器特定システムの外部のＤＮＳサーバに送信するとしてもよい。
【００９１】
また、前記情報機器特定システムは、さらに、前記特定リモートホスト名を取得するリモートホスト取得部を備えるとしてもよい。
【００９２】
また、前記情報機器特定システムは、さらに、前記情報機器のＩＰアドレスを取得するＩＰアドレス取得部と、取得された前記情報機器のＩＰアドレスを保持する情報機器ＩＰアドレス保持部とを備えるとしてもよい。
【００９３】
また、本実施の形態に係る情報機器特定方法は、所定のリモートホストを示す特定リモートホスト名を保持するリモートホスト保持ステップと、機器が一のリモートホストに接続するための前記一のリモートホストを示す一のリモートホスト名に対応するＩＰアドレスの問い合わせを受付ける受付ステップと、前記受付ステップで受付けられた前記一のリモートホスト名が、前記リモートホスト保持ステップで保持された特定リモートホスト名に一致するか否かを判定する判定ステップと、前記判定ステップにおいて前記一のリモートホスト名と前記特定リモートホスト名の一とが一致すると判定された場合に、前記一のリモートホストを示すＩＰアドレスに代えて情報機器のＩＰアドレスを前記機器へ応答するＩＰアドレス応答ステップと、前記機器に、前記ＩＰアドレス応答ステップにおいて応答した情報機器のＩＰアドレスを用いて、前記一のリモートホストに対してデータを取得する要求を行わせることにより、前記所定のリダイレクト先への接続を指示する情報と前記情報機器を一意に特定する特定情報（機器ＩＤ）とを含むデータを応答する機器ＩＤ応答ステップと、を含む。
【００９４】
また、本実施の形態に係る情報機器特定方法をコンピュータに実行させるためのプログラムは、所定のリモートホストを示す特定リモートホスト名を保持するリモートホスト保持ステップと、機器が一のリモートホストに接続するための前記一のリモートホストを示す一のリモートホスト名に対応するＩＰアドレスの問い合わせを受付ける受付ステップと、前記受付ステップで受付けられた前記一のリモートホスト名が、前記リモートホスト保持ステップで保持された特定リモートホスト名に一致するか否かを判定する判定ステップと、前記判定ステップにおいて前記一のリモートホスト名と前記特定リモートホスト名の一とが一致すると判定された場合に、前記一のリモートホストを示すＩＰアドレスに代えて情報機器のＩＰアドレスを前記機器へ応答するＩＰアドレス応答ステップと、前記機器に、前記ＩＰアドレス応答ステップにおいて応答した情報機器のＩＰアドレスを用いて、前記一のリモートホストに対してデータを取得する要求を行わせることにより、前記所定のリダイレクト先への接続を指示する情報と前記情報機器を一意に特定する特定情報（機器ＩＤ）とを含むデータを応答する機器ＩＤ応答ステップとをコンピュータに実行させるためのプログラムである。
【００９５】
また、本実施の形態に係る情報機器は、ネットワーク情報装置（ケーブルモデム、ルータ）に接続され、当該ネットワーク情報装置と同一のローカルエリア内に配される情報機器であって、一のリモートホストに対してデータを取得する要求を行う前記ローカルエリア内の機器であって、前記一のリモートホストを示すＩＰアドレスに代えて前記情報機器のＩＰアドレスを用いて当該要求を行った機器に、所定のリダイレクト先への接続を指示する情報と前記情報機器を一意に特定する特定情報（機器ＩＤ）とを含むデータを応答する機器ＩＤ応答部と、を備える。
【００９６】
ここで、本実施の形態に係る情報機器の機能をコンピュータに実行させるためのプログラムで実現してもよい。すなわち、ネットワーク情報装置（ケーブルモデム、ルータ）に接続され、当該ネットワーク情報装置と同一のローカルエリア内に配される情報機器が応答するためのプログラムであって、一のリモートホストに対してデータを取得する要求を行う前記ローカルエリア内の機器であって、前記一のリモートホストを示すＩＰアドレスに代えて前記情報機器のＩＰアドレスを用いて当該要求を行った機器に、所定のリダイレクト先への接続を指示する情報と前記情報機器を一意に特定する特定情報（機器ＩＤ）とを含むデータを応答する機器ＩＤ応答ステップを、コンピュータに実行させるためのプログラムであってもよい。
【００９７】
このように、ユーザは、機器１２を通常通りに利用することで、ユーザの追加操作なく、情報機器１１を利用するユーザと機器１２を利用するユーザとが同一であることを対応づけることができる。
【００９８】
以上のように、本実施の形態によれば、ログイン等のユーザの追加操作なく、同一のユーザを対応づけることができる情報機器特定システム、情報機器特定方法、情報機器およびプログラムを実現することができる。
【００９９】
（実施の形態２）
実施の形態１では、ネットワーク情報装置１０がＤＮＳスプーラ１０１とリモートホスト保持部１０５とを備えるとして説明したがそれに限らない。ネットワーク情報装置は、ＤＮＳスプーラとリモートホスト保持部とを備えなくてもよい。実施の形態２では、この場合の例について説明する。なお、以下では実施の形態１と同様の部分は説明を省略し、異なる点を中心に説明する。
【０１００】
［全体構成］
図１２は、実施の形態２における情報機器特定システムの構成の一例を示す図である。なお、図４、図５および図７と同様の要素には同一の符号を付しており、詳細な説明は省略する。
【０１０１】
図１２に示す実施の形態２における情報機器特定システムは、点線囲に含まれる情報機器１１とネットワーク情報装置２０とを備える。また、図１２では、実施の形態２における情報機器特定システムに機器１２とサーバ２４とが接続される。サーバ２４は、インターネット３などを介して実施の形態２における情報機器特定システムに接続される。
【０１０２】
本実施の形態のネットワーク情報装置２０の構成は、実施の形態１のネットワーク情報装置１０の構成と異なる。より具体的には、ネットワーク情報装置２０は、実施の形態１のネットワーク情報装置１０に対して、ＤＮＳスプーラとリモートホスト保持部とを備えず、取得部２０７の機能が異なる。
【０１０３】
取得部２０７は、図６に示すリモートホスト取得部１０７１およびＩＰアドレス取得部１０７２のうち、ＩＰアドレス取得部１０７２のみを備える。ＩＰアドレス取得部１０７２の機能については実施の形態１で説明した通りであるので、説明を省略する。
【０１０４】
サーバ２４は、ネットワーク情報装置２０と異なるネットワーク（ＷＡＮ）に属しており、インターネット３を介して、ネットワーク情報装置２０と接続される。
【０１０５】
サーバ２４は、図１２に示すように、ＤＮＳスプーラ１０１と、リモートホスト保持部１０５と、通信部２４１とを備える。ＤＮＳスプーラ１０１およびリモートホスト保持部１０５の機能は実施の形態１で説明した通りであるので、ここでの説明は省略する。
【０１０６】
通信部２４１は、インターネット３など宅内１の外部にあるネットワークを介して、ネットワーク情報装置２０と通信する。また、通信部２４１は、インターネット３を介して、所定のリモートホストを示す特定リモートホスト名を取得する。すなわち、通信部２４１は、実施の形態１のリモートホスト取得部１０７１の機能も有する。
【０１０７】
［効果等］
以上のように、本実施の形態によれば、ログイン等のユーザの追加操作なく、同一のユーザを対応づけることができる情報機器特定システム、情報機器特定方法、情報機器およびプログラムを実現することができる。
【０１０８】
（実施の形態３）
実施の形態２では、ネットワーク情報装置２０は、ＤＮＳスプーラ１０１とリモートホスト保持部１０５とを備えず、その代りに、外部のネットワークに属するサーバ２４のＤＮＳスプーラ１０１の機能を利用する場合について説明した。
【０１０９】
実施の形態３では、ＤＮＳスプーラ１０１の機能をユーザ２が利用する機器が備える場合について説明する。なお、実施の形態１および実施の形態２と同様の部分は説明を省略し、異なる点を中心に説明する。
【０１１０】
［全体構成］
図１３は、実施の形態３における情報機器特定システムの構成の一例を示す図である。なお、図４、図５および図７と同様の要素には同一の符号を付しており、詳細な説明は省略する。また、図１３に示す情報機器特定システムは、点線囲に含まれる情報機器１１と機器３２とを備える。また、図１３では、実施の形態３における情報機器特定システムでは、機器３２がインターネット３などを介して管理サーバ５と接続される場合の例が示されている。つまり、図１３に示す情報機器特定システムでは、ネットワーク情報装置１０を備えず、ネットワーク情報装置１０の機能を機器３２で実現する場合の例が示されている。
【０１１１】
［機器の構成］
以下、機器３２の構成について説明する。
【０１１２】
図１３に示す機器３２は、実施の形態１の機器１２に対してＤＮＳスプーラ機能を有している点で異なる。
【０１１３】
図１３に示す機器３２は、Ｗｅｂサイトにアクセスする機能や通信機能など機器３２の本来の機能を発揮する本来機能部３２１と、ＤＮＳスプーラ機能３２２とを備える。
【０１１４】
ＤＮＳスプーラ機能３２２は、受付部機能３２３、ＩＰアドレス応答部機能３２４、および判定部機能３２５を有する。
【０１１５】
受付部機能３２３、ＩＰアドレス応答部機能３２４、および判定部機能３２５は、実施の形態１における受付部１０２、ＩＰアドレス応答部１０３および判定部１０４のそれぞれに対応する機能を発揮する機能部である。なお、受付部１０２、ＩＰアドレス応答部１０３および判定部１０４のそれぞれに対応する機能については、実施の形態１で説明した通りであるため、説明を省略する。
【０１１６】
以上のように構成されるＤＮＳスプーラ機能３２２は、機器３２にインストールされるソフトウェア（プログラム）で実現されるとしてもよい。以下、その場合の例を実施例として説明する。
【０１１７】
（実施例）
図１４は、実施の形態３におけるＤＮＳスプーラ機能をソフトウェアで実現する場合の構成の一例を示す図である。以下では、機器３２がＰＣ（Personal Computer)などの機器であるとして説明する。
【０１１８】
図１４に示す機器３２のソフトウェアは、ＤＮＳスプーラ機能３２２Ａと、リモートホスト保持部機能３２６と、情報機器ＩＰアドレス保持部機能３２７とを含む。
【０１１９】
リモートホスト保持部機能３２６および情報機器ＩＰアドレス保持部機能３２７は、実施の形態１におけるリモートホスト保持部１０５と、情報機器ＩＰアドレス保持部１０６のそれぞれに対応する機能を発揮する機能部である。ここで、リモートホスト保持部機能３２６および情報機器ＩＰアドレス保持部機能３２７は、ＰＣ３２Ａ（機器３２）に、ソフトウェアをインストールすることで実現できる。
【０１２０】
なお、リモートホスト保持部１０５および情報機器ＩＰアドレス保持部１０６それぞれに対応する機能については、実施の形態１で説明した通りであるため、説明を省略する。
【０１２１】
ＤＮＳスプーラ機能３２２Ａは、受付部機能３２３Ａ、ＩＰアドレス応答部機能３２４Ａ、および定義ファイル３２５Ａを有する。なお、ＤＮＳスプーラ機能３２２Ａは、実施の形態１で説明したＤＮＳスプーラ１０１と同様の機能を発揮する。本実施例では、実施の形態１と異なる点を中心に説明する。
【０１２２】
ＤＮＳスプーラ機能３２２Ａは、ＰＣ３２Ａ（機器３２）のＯＳ基本機能を利用することにより実現できる。
【０１２３】
受付部機能３２３Ａは、ＰＣ３２Ａ（機器３２）のブラウザが一のリモートホストに接続するための前記一のリモートホストを示す一のリモートホスト名に対応するＩＰアドレスの問い合わせを受付ける。ＩＰアドレス応答部機能３２４は、定義ファイル３２５Ａにおいて一のリモートホスト名と特定リモートホスト名の一とが一致する場合に、一のリモートホストを示すＩＰアドレスに代えて情報機器１１のＩＰアドレスをＰＣ３２Ａ（機器３２）のブラウザに応答する。
【０１２４】
ここで、ＰＣ３２Ａ（機器３２）のＯＳ基本機能には、ＩＰ変換を行う機能が搭載されており、受付部機能３２３と、ＩＰアドレス応答部機能３２４は、ＰＣ３２Ａ（機器３２）のＯＳ基本機能により実現することができる。
【０１２５】
一方、判定部機能３２５に対する定義ファイル３２５Ａは、ＯＳ基本機能だけでは実現できない。ここで、定義ファイルは、ＰＣ３２Ａ（機器３２）のＯＳ基本機能に搭載されており、ホスト定義ファイル（テーブルファイル）とＤＮＳとが記載されている。
【０１２６】
本実施例では、ＰＣ３２Ａ（機器３２）のＯＳに、パッチファイルなどのソフトウェアをインストールすることで、ＯＳ基本機能を利用し、ホスト定義ファイル（テーブルファイル）に、リモートホスト保持部機能３２６および情報機器ＩＰアドレス保持部機能３２７で保持された特定のリモートホスト名および情報機器１１のＩＰアドレスを、定義ファイル３２５Ａのホスト定義ファイル（判定用のテーブルファイル）に、書き込ませる。
【０１２７】
それにより、ＩＰアドレス応答部機能３２４Ａは、定義ファイル３２５Ａを参照することで、一のリモートホスト名とホスト定義ファイルの記載の特定リモートホスト名の一とが一致する場合に、一のリモートホストを示すＩＰアドレスに代えて情報機器１１のＩＰアドレスを機器１２に応答することができるようになる。
【０１２８】
［効果等］
本実施の形態によれば、ユーザは、機器３２のブラウザを通常通りに利用することで、ユーザの追加操作なく、機器３２が情報機器１１を利用するユーザと機器３２のブラウザを利用するユーザとが同一であることを対応づけることができる。
【０１２９】
具体的には、本実施の形態の情報機器特定システムは、前記情報機器特定システムは、前記機器を備え、前記機器は、前記受付部、前記判定部、および前記ＩＰアドレス応答部を有する。
【０１３０】
この構成により、ログイン等のユーザの追加操作なく、同一のユーザを対応づけることができる。
【０１３１】
以上のように、本実施の形態では、ログイン等のユーザの追加操作なく、同一のユーザを対応づけることができる情報機器特定システム、情報機器特定方法、情報機器およびプログラムを実現することができる。
【０１３２】
（実施の形態４）
実施の形態４では、機器４２がＤＮＳスプーラの機能ではなく、情報機器１１が有する機器ＩＤ応答部の機能等を備える場合の例について説明する。なお、実施の形態１〜実施の形態３と同様の部分は説明を省略し、異なる点を中心に説明する。
【０１３３】
図１５は、実施の形態４における情報機器特定システムの構成の一例を示す図である。なお、図４、図５および図７と同様の要素には同一の符号を付しており、詳細な説明は省略する。また、図１５に示す情報機器特定システムでは、ＳＴＢ１１Ａ等の情報機器１１を備えず、情報機器１１の機能を機器４２で実現する場合の例を示している。
【０１３４】
［機器の構成］
本実施の形態では、機器４２は、スマートフォンなどユーザがアプリケーションを後付で自由にインストールすることができる機器である。以下では、機器４２が情報機器１１の機能をアプリケーションで実現する場合の例について説明する。
【０１３５】
図１５に示す機器４２には、ブラウザアプリ４２１と、アプリケーション４２２とがインストールされている。
【０１３６】
ブラウザアプリ４２１は、実施の形態１等で説明したブラウザのアプリケーションであり、このブラウザアプリ４２１が機能することでユーザ２は機器４２のブラウザを利用することができる。
【０１３７】
アプリケーション４２２は、ブラウザアプリ４２１とは異なるアプリケーションであり、情報機器１１の有する機器ＩＤ応答部の機能等を実現するソフトウェアである。
【０１３８】
アプリケーション４２２は、特定の用途のために利用されるアプリケーションである。アプリケーション４２２は、機器ＩＤ応答部機能４２４を含み、リダイレクトＵＲＬ４２３と、ユーザセッションｋｅｙ４２５Ａと、ユーザＩＤ／ｐｗ４２５Ｂと、アプリケーションＩＤ４２５Ｃとを保持する。
【０１３９】
具体的には、機器ＩＤ応答部機能４２４は、実施の形態１における機器ＩＤ応答部１１１の機能を発揮する機能部である。この機能の詳細については、実施の形態１で説明した通りであるため、説明を省略する。
【０１４０】
リダイレクトＵＲＬ４２３は、実施の形態１におけるリダイレクトＵＲＬ保持部１１３が保持するリダイレクトＵＲＬに対応し、アプリケーション４２２により保持されている。
【０１４１】
ここで、アプリケーションＩＤ４２５Ｃは、実施の形態１における情報機器ＩＤ保持部１１２が保持する情報機器ＩＤに対応する。なお、ユーザＩＤ／ｐｗ４２５Ｂは一例であり、ユーザを識別する情報であればよい。また、ユーザセッションｋｅｙ４２５Ａ、ユーザＩＤ／ｐｗ４２５Ｂ、およびアプリケーションＩＤ４２５Ｃを含む情報を、実施の形態１における情報機器ＩＤ保持部１１２が保持する情報機器ＩＤに対応するとしてもよい。
【０１４２】
この場合、ネットワーク情報装置１０のＩＰアドレス応答部１０３では、判定部１０４により一のリモートホスト名（管理サーバから取得されるホスト名）と特定リモートホスト名の一とが一致すると判定された場合に、一のリモートホストを示すＩＰアドレスに代えてアプリケーション４２２をアクセスする命令となるＩＰアドレス（１２７．０．０．１）を機器４２のブラウザアプリ４２１に応答する。
【０１４３】
機器ＩＤ応答部機能４２４は、ブラウザアプリ４２１に、ネットワーク情報装置１０のＩＰアドレス応答部１０３の応答したＩＰアドレス（１２７．０．０．１）を用いて、上記一のリモートホストに対してデータを取得する要求を行わせることにより、所定のリダイレクト先（リダイレクトＵＲＬ４２３）への接続を指示する情報とアプリケーション４２２を一意に特定する特定情報（アプリケーションＩＤ４２５Ｃ）、ユーザセッションｋｅｙ４２５ＡおよびユーザＩＤ／ｐｗ４２５Ｂを含む情報とブラウザアプリ４２１に応答する。
【０１４４】
［効果等］
本実施の形態では、実施の形態１における機器１２および情報機器１１がそれぞれ、機器４２のブラウザアプリ４２１およびアプリケーション４２２に対応するとしている。これは、スマートフォンなどの機器４２において異なるアプリケーションは独立に動作するため、このような対応付けを行うことができるからである。
【０１４５】
換言すると、機器４２において、情報機器１１の特定情報に対応するものが自身（機器４２）のアプリケーション４２２の識別ＩＤ（アプリケーションＩＤ４２５Ｃ）であってもよい。この場合、機器４２は、ローカルＩＰアドレスを用いて同一ネットワークにあるネットワーク情報装置１０を介してＷｅｂサイトにアクセスを行うブラウザアプリ４２１と、アプリケーション４２２のアプリケーションＩＤ４２５ＣとリダイレクトＵＲＬ４２３とを変換してブラウザアプリ４２１に応答（ＷＷＷ応答）を行うアプリケーション４２２の機器ＩＤ応答部機能４２４を有する。
【０１４６】
それにより、機器４２のユーザは、機器４２のブラウザアプリ４２１を通常通りに利用することで、ユーザの追加操作なく、機器４２にインストールされたアプリケーション４２２のユーザと、機器４２のブラウザアプリ４２１を利用するユーザとが同一であることを対応づけることができる。
【０１４７】
したがって、本実施の形態によれば、ユーザの追加操作なく、同一のユーザを対応づけることができる情報機器特定システム、情報機器特定方法、情報機器およびプログラムを実現することができる。
【０１４８】
（他の実施の形態）
以上のように、本開示における技術の例示として、実施の形態１〜４を説明した。そのために、添付図面および詳細な説明を提供した。
【０１４９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１５０】
また、上述の実施の形態は、本開示における技術を例示するためのものであるから、請求の範囲またはその均等の範囲において種々の変更、置き換え、付加、省略などを行うことができる。つまり、本開示における技術は、これに限定されず、適宜、変更、置き換え、付加、省略などを行った実施の形態にも適用可能である。また、上記実施の形態１〜３で説明した各構成要素を組み合わせて、新たな実施の形態とすることも可能である。
【０１５１】
また、以下のような場合も本開示に含まれる。
【０１５２】
例えば実施の形態１〜４では、情報機器と、ネットワーク情報装置と、機器とが同一ネットワークのセグメントにあるとして説明したがそれに限らない。以下その場合の例について図を用いて説明する。
【０１５３】
図１６は、情報機器と、ネットワーク情報装置と、機器とが同一ネットワークのセグメントにある場合の例を示す図である。図１７および図１８は、情報機器と、ネットワーク情報装置と、機器とが異なるネットワークのセグメントにある場合の例を示す図である。
【０１５４】
図１６は、実施の形態１〜４に示す配置パターンに相当し、同一のルータ１３の配下に機器１２と情報機器１１とが接続される場合を示している。すなわち、情報機器１１と機器１２とは、ルータ１３の配下で同一のネットワークセグメントに物理的もしくは仮想的に接続されている場合を示している。
【０１５５】
それに対して図１７は、情報機器１１と機器１２とが、ルータ１３を経由して異なるネットワークセグメントに物理的もしくは仮想的に接続されている場合を示している。この場合でも、ルータ１３に所定の設定を施すことで、情報機器１１が機器１２からのアクセス要求（データ取得要求等を含む）を受信することができるので本開示に含まれる。
【０１５６】
また、図１８は、情報機器１１と機器１２とが、多段のルータ１３Ａおよびルータ１３Ｂを経由して異なるネットワークセグメントに物理的もしくは仮想的に接続されている場合を示している。この場合でも、ルータ１３に所定の設定を施すことで、情報機器１１が機器１２からのアクセス要求（データ取得要求等を含む）を受信することができるので本開示に含まれる。
【産業上の利用可能性】
【０１５７】
本開示は、情報機器特定システム、情報機器特定方法、情報機器およびプログラムに利用でき、特に、ユーザの追加操作なく異なるメディアにおけるユーザの対応付けを行う情報機器特定システム、情報機器特定方法、情報機器およびプログラムに利用できる。
【符号の説明】
【０１５８】
１    宅内
２、２Ａ、２Ｂ    ユーザ
３    インターネット
５    管理サーバ
６    Ｗｅｂサーバ
７    サイト
８    ＤＮＳサーバ
１０、２０    ネットワーク情報装置
１０Ａ    モデム
１１    情報機器
１１Ａ、９１    ＳＴＢ
１２、３２、４２、９２    機器
１２Ａ、９２Ａ    スマートフォン
１２Ｂ、３２Ａ    ＰＣ
１２Ｃ、９２Ｃ    ＴＶ
１３、１３Ａ、１３Ｂ    ルータ
２４    サーバ
１０１    ＤＮＳスプーラ
１０２    受付部
１０３    ＩＰアドレス応答部
１０４    判定部
１０５    リモートホスト保持部
１０６    情報機器ＩＰアドレス保持部
１０７、２０７    取得部
１０８、１１４、２４１    通信部
１０９    応答判定部
１１１    機器ＩＤ応答部
１１２    情報機器ＩＤ保持部
１１３    リダイレクトＵＲＬ保持部
３２１    本来機能部
３２２、３２２Ａ    ＤＮＳスプーラ機能
３２３、３２３Ａ    受付部機能
３２４、３２４Ａ    ＩＰアドレス応答部機能
３２５    判定部機能
３２５Ａ    定義ファイル
３２６    リモートホスト保持部機能
３２７  情報機器ＩＰアドレス保持部機能
４２１    ブラウザアプリ
４２２    アプリケーション
４２３    リダイレクトＵＲＬ
４２４  機器ＩＤ応答部機能
４２５Ａ    ユーザセッションｋｅｙ
４２５Ｂ    ユーザＩＤ／ｐｗ
４２５Ｃ    アプリケーションＩＤ
８０１、９０１、９０３    ブラウザ
８０２、８０３、８０４    領域
８０５    ゲストページ
８０６Ａ、９０１Ａ、９０３Ａ、９０５Ａ    アクセスログ
８０６Ｂ、８０８Ｂ    プロファイル
８０７    ログインページ
８０８    会員専用ページ
９０５  ＴＶポータル
９０５Ｂ    視聴履歴
１０７１    リモートホスト取得部
１０７２    ＩＰアドレス取得部
【手続補正２】
【補正対象書類名】特許請求の範囲
【補正対象項目名】全文
【補正方法】変更
【補正の内容】
【特許請求の範囲】
【請求項１】
所定のリモートホストを示す特定リモートホスト名を保持するリモートホスト保持部と、
機器が一のリモートホストに接続するための前記一のリモートホストを示す一のリモートホスト名に対応するＩＰ（Ｉｎｔｅｒｎｅｔ  Ｐｒｏｔｏｃｏｌ）アドレスの問い合わせを受付ける受付部と、
前記受付部により受付けられた前記一のリモートホスト名が、前記リモートホスト保持部により保持されている特定リモートホスト名に一致するか否かを判定する判定部と、
前記判定部により前記一のリモートホスト名と前記特定リモートホスト名の一とが一致すると判定された場合に、前記一のリモートホストを示すＩＰアドレスに代えて情報機器のＩＰアドレスを前記機器に応答するＩＰアドレス応答部と、
前記機器に、前記ＩＰアドレス応答部の応答した前記情報機器のＩＰアドレスを用いて、前記一のリモートホストに対してデータを取得する要求を行わせることにより、所定のリダイレクト先への接続を指示する情報と前記情報機器を一意に特定する特定情報とを含むデータを前記機器に応答する機器ＩＤ応答部と、を備える、
情報機器特定システム。
【請求項２】
前記情報機器特定システムは、ネットワーク情報装置と前記情報機器とを備え、
前記ネットワーク情報装置は、前記リモートホスト保持部、前記受付部、前記判定部、および、前記ＩＰアドレス応答部と、を有し、
前記情報機器は、前記機器ＩＤ応答部を有する、
請求項１に記載の情報機器特定システム。
【請求項３】
前記情報機器特定システムは、前記機器を備え、
前記機器は、前記受付部、前記判定部、および前記ＩＰアドレス応答部を有する、
請求項１に記載の情報機器特定システム。
【請求項４】
前記情報機器特定システムは、さらに、
前記機器ＩＤ応答部が応答できる状態であるか否かを判定する応答判定部を備え、
前記応答判定部は、前記機器ＩＤ応答部が応答できない状態であると判定した場合、前記一のリモートホスト名に対応するＩＰアドレスの問い合わせを、前記情報機器特定システムの外部のＤＮＳサーバに送信する、
請求項１〜３のいずれか１項に記載の情報機器特定システム。
【請求項５】
前記情報機器特定システムは、さらに、
前記特定リモートホスト名を取得するリモートホスト取得部を備える、
請求項１〜４のいずれか１項に記載の情報機器特定システム。
【請求項６】
前記情報機器特定システムは、さらに、
前記情報機器のＩＰアドレスを取得するＩＰアドレス取得部と、
取得された前記情報機器のＩＰアドレスを保持する情報機器ＩＰアドレス保持部とを備える、
請求項１〜５のいずれか１項に記載の情報機器特定システム。
【請求項７】
所定のリモートホストを示す特定リモートホスト名を保持するリモートホスト保持ステップと、
機器が一のリモートホストに接続するための前記一のリモートホストを示す一のリモートホスト名に対応するＩＰアドレスの問い合わせを受付ける受付ステップと、
前記受付ステップで受付けられた前記一のリモートホスト名が、前記リモートホスト保持ステップで保持された特定リモートホスト名に一致するか否かを判定する判定ステップと、
前記判定ステップにおいて前記一のリモートホスト名と前記特定リモートホスト名の一とが一致すると判定された場合に、前記一のリモートホストを示すＩＰアドレスに代えて情報機器のＩＰアドレスを前記機器へ応答するＩＰアドレス応答ステップと、
前記機器に、前記ＩＰアドレス応答ステップにおいて応答した情報機器のＩＰアドレスを用いて、前記一のリモートホストに対してデータを取得する要求を行わせることにより、前記所定のリダイレクト先への接続を指示する情報と前記情報機器を一意に特定する特定情報とを含むデータを応答する機器ＩＤ応答ステップと、を含む、
情報機器特定方法。
【請求項８】
請求項７の情報機器特定方法をコンピュータに実行させるためのプログラム。
【請求項９】
ネットワーク情報装置に接続され、当該ネットワーク情報装置と同一のローカルエリア内に配される情報機器であって、
一のリモートホストに対してデータを取得する要求を行う前記ローカルエリア内の機器であって、前記一のリモートホストを示すＩＰアドレスに代えて前記情報機器のＩＰアドレスを用いて当該要求を行った機器に、所定のリダイレクト先への接続を指示する情報と前記情報機器を一意に特定する特定情報とを含むデータを応答する機器ＩＤ応答部と、を備える、
情報機器。
【請求項１０】
ネットワーク情報装置に接続され、当該ネットワーク情報装置と同一のローカルエリア内に配される情報機器が応答するためのプログラムであって、
一のリモートホストに対してデータを取得する要求を行う前記ローカルエリア内の機器であって、前記一のリモートホストを示すＩＰアドレスに代えて前記情報機器のＩＰアドレスを用いて当該要求を行った機器に、所定のリダイレクト先への接続を指示する情報と前記情報機器を一意に特定する特定情報とを含むデータを応答する機器ＩＤ応答ステップを、
コンピュータに実行させるためのプログラム。
【手続補正３】
【補正対象書類名】図面
【補正対象項目名】全図
【補正方法】変更
【補正の内容】
【図１】
2015136582.tif 000021
【図２】
2015136582.tif 000022
【図３】
2015136582.tif 000023
【図４】
2015136582.tif 000024
【図５】
2015136582.tif 000025
【図６】
2015136582.tif 000026
【図７】
2015136582.tif 000027
【図８】
2015136582.tif 000028
【図９】
2015136582.tif 000029
【図１０】
2015136582.tif 000030
【図１１】
2015136582.tif 000031
【図１２】
2015136582.tif 000032
【図１３】
2015136582.tif 000033
【図１４】
2015136582.tif 000034
【図１５】
2015136582.tif 000035
【図１６】
2015136582.tif 000036
【図１７】
2015136582.tif 000037
【図１８】
2015136582.tif 000038
【国際調査報告】
2015136582.tif 000039
2015136582.tif 000040